(57)【要約】  血糖値計測時のユーザの体の状態を反映させた計測結果の表示を可能とし、ユーザの血糖値管理の利便性を向上させる。ユーザの血糖値を計測する計測部と、その計測データを記録する記録部と、計測結果をディスプレイに表示可能な表示部と、を備える血糖値計測装置であって、更に、計測部によって計測された血糖値データに対してユーザの血糖値計測時の体の状態に関する状態フラグを関連付けて、記録部に記録する状態フラグ設定部と、状態フラグ設定部によって設定された状態フラグに基づいて、記録部に記録されている計測結果をディスプレイに表示させる表示制御部と、を備える。
2011129418.tif 000002
【特許請求の範囲】
【請求項１】
ユーザの血糖値を計測する計測部と、その計測データを記録する記録部と、計測結果をディスプレイに表示可能な表示部と、を備える血糖値計測装置であって、
更に、
前記計測部によって計測された血糖値データに対してユーザの血糖値計測時の体の状態に関する状態フラグを関連付けて、前記記録部に記録する状態フラグ設定部と、
前記状態フラグ設定部によって設定された状態フラグに基づいて、前記記録部に記録されている計測結果を前記ディスプレイに表示させる表示制御部と、
を備える、血糖値計測装置。
【請求項２】
前記血糖値計測装置にて管理されている情報と、外部装置で管理されている情報の少なくとも一部とを一致させる一致部を更に備える、
請求項１に記載の血糖値計測装置。
【請求項３】
前記表示制御部は、前記記録部に記録されている計測データに基づいて、ユーザの血糖値の推移を前記ディスプレイにグラフ表示させる、
請求項１又は請求項２に記載の血糖値計測装置。
【請求項４】
前記表示制御部は、前記グラフが表わす複数の血糖値データに関連付けられたそれぞれの前記状態フラグに対応する所定のマークを、該グラフに隣接させて表示させる、
請求項３に記載の血糖値計測装置。
【請求項５】
前記表示制御部は、前記記録部に記録されている計測データに基づく演算値を前記ディスプレイに表示させる、
請求項１に記載の血糖値計測装置。
【請求項６】
前記表示制御部は、前記記録部に記録されている計測データの中から、前記状態フラグ設定部によって設定された状態フラグが同一の計測データ群を抽出し、該抽出された計測データ群に関する前記演算値を前記ディスプレイに表示させる、
請求項５に記載の血糖値計測装置。
【請求項７】
前記演算値は、ユーザの血糖値の所定期間における平均値である、
請求項５又は請求項６に記載の血糖値計測装置。
【請求項８】
前記状態フラグ設定部によって関連付けが行われる状態フラグは、ユーザの食前状態、食後状態、運動後状態、投薬後状態、体内物質量状態のうち少なくとも一つの状態に関するフラグである、
請求項１から請求項７の何れか一項に記載の血糖値計測装置。
【請求項９】
前記状態フラグ設定部によって関連付けられた状態フラグが、食後状態に関するフラグである場合、前記表示制御部は、前記計測部によって計測されたユーザの血液の血糖値とともに、ユーザの食事量に関する情報を前記ディスプレイに表示させる、
請求項８に記載の血糖値計測装置。
【請求項１０】
前記ユーザの食事量に関する情報は、ヒトの胃袋を模したイメージにおいて該食事量に応じて変化する変化イメージとして表示される、
請求項９に記載の血糖値計測装置。
【請求項１１】
前記状態フラグ設定部によって関連付けられた状態フラグが、食後状態に関するフラグである場合、前記表示制御部は、前記計測部によって計測されたユーザの血液の血糖値とともに、ユーザが食事を開始した時点、食事中の所定の時点および食事を完了した時点の少なくともいずれかの時点からの経過時間に関する情報を前記ディスプレイに表示させる、
請求項８から請求項１０の何れか一項に記載の血糖値計測装置。
【請求項１２】
前記血糖値データに対して前記状態フラグを関連付けることをユーザが指示可能な操作部を、更に備え、
前記状態フラグ設定部は、前記食後状態に関連するフラグが関連付けられた前記血糖値データに対して、ユーザによる前記操作部の操作に基づき、更に前記食事量に関する情報を関連付ける、
請求項８から請求項１１の何れか一項に記載の血糖値計測装置。
【請求項１３】
ユーザによる前記操作部の操作は、食事内容に関する所定条件を入力又は選択する操作であって、
前記状態フラグ設定部は、前記操作結果に従って前記食事量に関する情報を自動的に算出し、該情報を前記血糖値データに対して関連付ける、
請求項１２に記載の血糖値計測装置。
【請求項１４】
ユーザの血糖値を計測する計測部と、その計測データを記録する記録部と、計測結果をディスプレイに表示可能な表示部とを備える血糖値計測装置において、該計測結果をそのディスプレイに表示する表示方法であって、
計測された血糖値データに対してユーザの血糖値計測時の体の状態に関する状態フラグを関連付けて、前記記録部に記録する状態フラグ設定ステップと、
前記状態フラグ設定ステップにおいて設定された状態フラグに基づいて、前記記録部に記録されている計測結果を前記ディスプレイに表示する表示制御ステップと、
を含む、血糖値計測結果の表示方法。
【請求項１５】
前記血糖値計測装置にて管理されている情報と、外部装置で管理されている情報の少なくとも一部とを一致させる一致ステップを更に含む、
請求項１４に記載の血糖値計測結果の表示方法。
【請求項１６】
前記表示制御ステップでは、前記記録部に記録されている計測データに基づいて、ユーザの血糖値の推移を前記ディスプレイにグラフ表示させる、
請求項１４又は請求項１５に記載の血糖値計測結果の表示方法。
【請求項１７】
前記表示制御ステップでは、前記グラフが表わす複数の血糖値データに関連付けられたそれぞれの前記状態フラグに対応する所定のマークが、該グラフに隣接させて表示される、
請求項１６に記載の血糖値計測結果の表示方法。
【請求項１８】
前記表示制御ステップでは、前記記録部に記録されている計測データに基づく演算値が前記ディスプレイに表示される、
請求項１４に記載の血糖値計測結果の表示方法。
【請求項１９】
前記表示制御ステップでは、前記記録部に記録されている計測データの中から、前記状態フラグ設定部によって設定された状態フラグが同一の計測データ群が抽出され、該抽出された計測データ群に関する前記演算値が前記ディスプレイに表示される、
請求項１８に記載の血糖値計測結果の表示方法。
【請求項２０】
前記演算値は、ユーザの血糖値の所定期間における平均値である、
請求項１８又は請求項１９に記載の血糖値計測結果の表示方法。
【請求項２１】
ユーザの血糖値を計測する計測部と、その計測データを記録する記録部と、計測結果をディスプレイに表示可能な表示部とを備えるコンピュータに、該計測結果をそのディスプレイに表示させるコンピュータプログラムであって、
前記コンピュータに、
計測された血糖値データに対してユーザの血糖値計測時の体の状態に関する状態フラグを関連付けて、前記記録部に記録する状態フラグ設定ステップと、
前記状態フラグ設定ステップにおいて設定された状態フラグに基づいて、前記記録部に記録されている計測結果を前記ディスプレイに表示する表示制御ステップと、
を実行せしめる、血糖値計測結果の表示制御プログラム。
【請求項２２】
前記コンピュータに、
前記コンピュータにて管理されている情報と、外部装置で管理されている情報の少なくとも一部とを一致させる一致ステップを更に含む、
請求項２１に記載の血糖値計測結果の表示制御プログラム。
【請求項２３】
前記表示制御ステップでは、前記記録部に記録されている計測データに基づいて、ユーザの血糖値の推移を前記ディスプレイにグラフ表示させる、
請求項２１又は請求項２２に記載の血糖値計測結果の表示制御プログラム。
【請求項２４】
前記表示制御ステップでは、前記グラフが表わす複数の血糖値データに関連付けられたそれぞれの前記状態フラグに対応する所定のマークが、該グラフに隣接させて表示される、
請求項２３に記載の血糖値計測結果の表示制御プログラム。
【請求項２５】
前記表示制御ステップでは、前記記録部に記録されている計測データに基づく演算値が前記ディスプレイに表示される、
請求項２１に記載の血糖値計測結果の表示制御プログラム。
【請求項２６】
前記表示制御ステップでは、前記記録部に記録されている計測データの中から、前記状態フラグ設定部によって設定された状態フラグが同一の計測データ群が抽出され、該抽出された計測データ群に関する前記演算値が前記ディスプレイに表示される、
請求項２１に記載の血糖値計測結果の表示制御プログラム。
【請求項２７】
前記演算値は、ユーザの血糖値の所定期間における平均値である、
請求項２５又は請求項２６に記載の血糖値計測結果の表示制御プログラム。
【請求項２８】
請求項２１から請求項２７の何れか一項に記載の血糖値計測結果の表示制御プログラムを記録し、コンピュータによって読み取り可能な記録媒体。
【発明の詳細な説明】
【技術分野】
【０００１】
本発明は、ユーザの血糖値を計測する血糖値計測装置、その血糖値計測結果の表示方法、およびその血糖値計測結果の表示制御プログラムに関する。
【背景技術】
【０００２】
糖尿病患者等、健康管理上、その血糖値を計測し、食事量や運動量をコントロールしなければならないユーザにとって、その計測装置の操作性や、計測に要する準備等は極めて大きな問題である。そこで、ユーザが日々の生活において比較的容易に、血糖値を計測できるように携帯型の計測装置が開発され、そこには血糖値管理を助ける様々な機能が搭載されている。たとえば、特許文献１に開示される技術では、計測装置のディスプレイに最近の計測値とともに、過去の計測値を合わせてグラフ表示し、ユーザが血糖値の推移を容易に認識できるように構成されている。
【先行技術文献】
【特許文献】
【０００３】
【特許文献１】再公表２００５−１０６４４６号公報
【発明の概要】
【発明が解決しようとする課題】
【０００４】
健康上、血糖値を管理する必要のあるユーザにとっては、通常の生活での様々な状況下で、適切な時間に自己の血糖値を計測することが求められる。一方で、血糖値は、ユーザの体の状態、たとえば、食前や食後、運動後等の状態に応じて、その値が高低する傾向が認められるため、計測された血糖値がどのような体の状態において計測されたものであるのかを認識できることが、ユーザの血糖値管理上、極めて重要な技術要素となり得る。【０００５】
しかし、従来技術においては、過去の血糖値の計測履歴をグラフ表示してはいるが、それには計測時のユーザの体の状態が反映されていない。そのため、ユーザの血糖値管理の利便性を十分に向上しているとは言えない。【０００６】
本発明は、上記問題に鑑みてなされたものであり、血糖値計測時のユーザの体の状態を反映させた計測結果の表示を可能とし、ユーザの血糖値管理の利便性を向上し得る血糖値計測装置、血糖値計測結果の表示方法、および血糖値計測結果の表示制御プログラムを提供することを目的とする。
【課題を解決するための手段】
【０００７】
本発明においては、上記課題を解決するために、計測された血糖値データとその計測時のユーザの体の状態を表す状態フラグとを関連付けて管理し、その関連付けに基づいて計測結果をディスプレイに表示する構成とすることで、ユーザの血糖値管理の利便性を向上させることが可能となる。【０００８】
詳細には、本発明は、ユーザの血糖値を計測する計測部と、その計測データを記録する記録部と、計測結果をディスプレイに表示可能な表示部と、を備える血糖値計測装置であって、更に、前記計測部によって計測された血糖値データに対してユーザの血糖値計測時の体の状態に関する状態フラグを関連付けて、前記記録部に記録する状態フラグ設定部と、前記状態フラグ設定部によって設定された状態フラグに基づいて、前記記録部に記録されている計測結果を前記ディスプレイに表示させる表示制御部と、を備える。【０００９】
本発明に係る血糖値計測装置は、ユーザの血糖値を計測し、その計測結果を表示することで、ユーザによる血糖値管理の利便性を向上させるものである。状態フラグ設定部が、計測部によって計測された血糖値データに対して、その計測時のユーザの体の状態に関する状態フラグが関連付けられたうえで、装置内での計測データの管理が行われる。そのため、表示制御部による計測結果の表示制御は、状態フラグと計測データが関連付けられた状態で行われることになる。【００１０】
このような構成によれば、ユーザの血糖値に大きな影響を与える体の状態に関する情報である状態フラグを、血糖値計測装置内で計測データと関連付けさせて、そのデータ管理が行われるため、ユーザは、計測された血糖値がどのような体の状態において計測されたものであるのか、表示制御部による表示内容を介して確認することができ、以て、計測結果に基づいた判断を適切に行え、血糖値管理の利便性が向上し得る。血液中の血糖値は、体の状態によって大きく変動することを踏まえれば、このように状態フラグと計測データとが関連付けされてデータ管理されることは、ユーザに対して大きな利益を与えるものである。【００１１】
本発明において、前記状態フラグは、例えば、前記ディスプレイにおいて所定の形状を表すよう所定の部分が点灯可能に構成されており、前記状態フラグ設定部が、所定の場合に前記所定部分を点灯させることにより、前記ディスプレイに表示されるものでもよいし、また、例えば、前記血糖値計測装置が、メモリを有し、このメモリに所定のフラグを予め記憶させておくか、または所望に応じて所望のフラグを記憶させ、この記憶されたフラグを前記状態フラグ設定部が、適宜呼び出し、対応する前記計測データと関連付けて表示されるものでもよい。すなわち、本発明では、前記状態フラグは、前記血糖計測装置において予め固定的に設定されていてもよいし、所望に応じて追加や削除といった変更ができるようになっていてもよい。本発明に係る血糖値計測装置は、このように固定的にフラグが設定される構成と、所望に応じてこれらフラグを変更可能な構成のいずれか一方のみを有していてもよいし、これらの両構成を有していてもよい。また、本発明に係る血糖値計測装置は、フラグを追加ないし削除可能なメモリを有し、前記状態フラグ設定部が、ユーザの血糖値に関連するユーザの生体情報を前記記録部に記録し、前記血糖値計測装置が、前記生体情報の入力を受け付け、かつ、前記血糖値計測装置に管理されている情報を、外部装置に管理されている情報の少なくとも一部と一致させる一致部を更に備え、前記表示制御部は、前記記録部に記録されている前記生体情報を前記ディスプレイに表示させる。このような構成によれば、血糖値計測装置で管理されている情報を、外部装置で管理されている情報と整合させることができる。例えば、前記外部装置が、ユーザが診察を受けている病院である場合、病院側の管理項目とユーザ側の管理項目を一致させたり、病院で管理されている項目のうち、ユーザ側でも管理することが望ましい項目を前記血糖値計測装置の管理項目として含めることができ、診察および治療上極めて有効である。【００１２】
ここで、表示制御部による表示制御の一例として、前記表示制御部は、前記記録部に記録されている計測データに基づいて、ユーザの血糖値の推移を前記ディスプレイにグラフ表示させる構成としてもよい。更には、前記グラフが表わす複数の血糖値データに関連付けられたそれぞれの前記状態フラグに対応する所定のマークを、該グラフに隣接させて表示させてもよい。血糖値の推移をグラフ表示させることで、ユーザは自己の血糖値の変動を容易に理解でき、健康上の注意点等に気付きやすくなる。さらに、この表示されたグラフに対して、状態フラグ設定部によって設定されていた状態フラグに対応した所定のマークが、隣接して表示されることで、ユーザは、血糖値の推移と体の状態とを同時に認識することができる。これは、ユーザの利便性上、極めて有用である。なお、上記所定のマークは、設定される状態フラグの種類の応じて異なるものであるが、ディスプレイにグラフとともに表示させることを踏まえると、ユーザが一見して、マークの相違が判別可能なように、その形状、色等決定されるのが好ましい。【００１３】
また、表示制御部による表示制御の別の例として、前記表示制御部は、前記記録装置内に記録されている計測データに基づく演算値を前記ディスプレイに表示させてもよい。この場合、さらに、記表示制御部は、前記記録部に記録されている計測データの中から、前記状態フラグ設定部によって設定された状態フラグが同一の計測データ群を抽出し、該抽出された計測データ群に関する前記演算値を前記ディスプレイに表示させてもよい。【００１４】
前記演算値は、計測結果に基づいて算出される、ユーザの血糖値管理上、有用な情報となる演算値である。たとえば、ユーザの血糖値の所定期間における平均値が挙げられるが、これだけには限られない。一方で、ユーザの体の状態に応じて、血糖値の高低が変動する傾向があることを踏まえると、上記のように、体の状態に関する状態フラグごとに、上記演算値が表示されることは、ユーザの血糖値管理に資するものと考えられる。たとえば、食後と食前の血糖値が混在する演算値よりも、食後の血糖値の演算値と、食前の血糖値の演算値とを区別して表示することが可能となるため、ユーザによる血糖値に関する判断がより正確に行いやすくなる。本発明では、上述までのように、状態フラグが計測データと関連付けられて管理されるため、このようなグラフ表示、演算値表示等、様々な表示制御が容易に行うことができる。【００１５】
なお、上記血糖値計測装置において、前記状態フラグ設定部によって関連付けが行われる状態フラグは、生体の状態に関係する現象や事象を表すあらゆるフラグであってよい。このようなフラグは、ユーザの食前状態、食後状態、運動後状態を表すフラグ等、生体自体の状態を表すフラグの他、生体に対するアクションに関する事実を表すフラグ等が含まれ、ユーザの血糖値に影響される体の状態に関するフラグであれば、どのような状態フラグも採用可能である。このような状態フラグは、例えば、ユーザの食前状態、食後状態、食事量、運動後状態、運動量等、ユーザがとったアクションに関する事実を示すフラグや、β細胞の量、コレステロールの値、Ｈｂ（ヘモグロビン）Ａ１ｃの値等のユーザの体内物質量やその変化を表すフラグ等の、生体の生理・生化学的状態を表すフラグ、ユーザに対するインシュリン投与等の投薬の有無や程度を表すフラグ等、生体に対するアクションに関する事実を表すフラグ等が含まれる。また、「状態」は、一般には、「ある時点でのありさま」と解釈される場合もあるが、本明細書では、広く「ありさま」を意味し、ある１時点だけでなく、生体の経時的変化や変化の程度をも含む。また、「状態」は、生体のアクションや生体に対するアクションの有無だけでなく、前記アクションの程度も含む。また、前記状態フラグは、病院等の管理機関において、当該血糖値に関連して管理されるあらゆる生体情報を含んでよい。これにより、病院等により管理される情報とユーザが把握する情報とを一致させることができ、計測血糖値と血糖値に関連して管理される生体情報との関連付けの正確性を向上させることができる。【００１６】
ここで、前記状態フラグが、「程度」の概念を含む場合、前記状態フラグは、この程度の多少を所定のマークの数の増減により示すように構成してよい。例えば、前記状態フラグが食事量を示すフラグの場合、前記食事量の多少を、例えばバーマークの本数を増減することで示すようにしてもよい。すなわち、上記血糖値計測装置において、前記状態フラグ設定部によって関連付けられた状態フラグが、食後状態に関するフラグである場合、前記表示制御部は、前記計測部によって計測されたユーザの血液の血糖値とともに、ユーザの食事量に関する情報を前記ディスプレイに表示させる構成を採用してもよい。当該構成は、ユーザの食後状態を表す状態フラグが設定された場合であっても、「食事」の血糖値に与える影響が、その量によって大きく変動することを考慮するものである。例えば、前記ユーザの食事量に関する情報は、ヒトの胃袋を模したイメージにおいて該食事量に応じて変化する変化イメージとして表示されてよく、例えば前記変化イメージが、バーマークの数が変化することで変化するものであってもよい。【００１７】
また、上記血糖値計測装置において、前記状態フラグ設定部によって関連付けられた状態フラグが、経過時間とともに変化する生体の状態を表すフラグである場合、以下の構成を採用してもよい。例えば、前記表示制御部は、前記計測部によって計測されたユーザの血液の血糖値とともに、生体のアクションや生体に対するアクションの開始時点、終了時点及び開始時点から終了時点までの間の所定の時点のいずれかの時点からの経過時間に関する情報を前記ディスプレイに表示してもよい。また、他の例として、上記血糖値計測装置において、前記状態フラグ設定部によって関連付けられた状態フラグが、食後状態に関するフラグである場合、前記表示制御部は、前記計測部によって計測されたユーザの血液の血糖値とともに、ユーザが食事開始時点、食事中の所定の時点および食事を完了した時点のいずれかの時点からの経過時間に関する情報を前記ディスプレイに表示させる構成を採用してもよい。上記食事量と同じように、これらの所定の時点からの経過時間も、ユーザの血糖値の高低に影響を与えるパラメータである。そこで、本発明は、このように経過時間を血糖値データに反映させることで、ユーザによる血糖値管理の利便性がさらに向上し得る。【００１８】
ここで、上述までの血糖値計測装置において、前記血糖値データに対して前記状態フラグを関連付けることをユーザが指示可能な操作部を、更に備える場合、前記状態フラグ設定部は、前記食後状態に関連するフラグが関連付けられた前記血糖値データに対して、ユーザによる前記操作部の操作に基づき、更に前記食事量に関する情報を関連付けるように構成されてもよい。すなわち、食事量に関する情報は、ユーザによる操作部の操作を通して行われる。【００１９】
そこで、ユーザによる前記操作部の操作は、食事内容に関する所定条件を入力又は選択する操作であってもよく、この場合、前記状態フラグ設定部は、前記操作結果に従って前記食事量に関する情報を自動的に算出し、該情報を前記血糖値データに対して関連付ける。この構成によれば、ユーザは、比較的客観的に入力、選択しやすい食事内容に関する所定条件に関する操作を行なうことで、食事量に関する情報が自動的に算出される。そのため、血糖値計測装置の操作性が向上するとともに、食事量に関する情報の精度を上げることも可能となる。【００２０】
次に、本発明を血糖値計測結果の表示方法の側面から捉えることも可能である。すなわち、本発明は、ユーザの血糖値を計測する計測部と、その計測データを記録する記録部と、計測結果をディスプレイに表示可能な表示部とを備える血糖値計測装置において、該計測結果をそのディスプレイに表示する表示方法であって、計測された血糖値データに対してユーザの血糖値計測時の体の状態に関する状態フラグを関連付けて、前記記録部に記録する状態フラグ設定ステップと、前記状態フラグ設定ステップにおいて設定された状態フラグに基づいて、前記記録部に記録されている計測結果を前記ディスプレイに表示する表示制御ステップと、を含む。本発明に係る表示方法においても、上記血糖値計測装置の場合と同様に、測定結果にユーザの体の状態を反映させて、ディスプレイに表示させることが可能となるため、ユーザによる血糖値管理の利便性を向上させることが可能となる。【００２１】
また、上記血糖値計測結果の表示方法において、前記表示制御ステップで、前記記録部に記録されている計測データに基づいて、ユーザの血糖値の推移を前記ディスプレイにグラフ表示させてもよい。さらに、前記表示制御ステップでは、前記グラフが表わす複数の血糖値データに関連付けられたそれぞれの前記状態フラグに対応する所定のマークが、該グラフに隣接させて表示されてもよい。【００２２】
また、前記表示制御ステップでは、前記記録装置内に記録されている計測データに基づく演算値が前記ディスプレイに表示されてもよい。さらに、前記表示制御ステップでは、前記記録部に記録されている計測データの中から、前記状態フラグ設定部によって設定された状態フラグが同一の計測データ群が抽出され、該抽出された計測データ群に関する前記演算値が前記ディスプレイに表示されてもよい。なお、この演算値の一例として、ユーザの血糖値の所定期間における平均値が挙げられる。【００２３】
このように構成される血糖値計測結果の表示方法においても、上記血糖値計測装置の場合と同様に、測定結果にユーザの体の状態を反映させて、ディスプレイに表示させることが可能となるため、ユーザによる血糖値管理の利便性を向上させることが可能となる。なお、上記血糖値計測装置について開示した技術的思想は、同様に本発明に係る表示方法にも適用可能である。【００２４】
次に、本発明を血糖値計測結果の表示制御プログラムの側面から捉えることも可能である。すなわち、本発明は、ユーザの血糖値を計測する計測部と、その計測データを記録する記録部と、計測結果をディスプレイに表示可能な表示部とを備えるコンピュータに、該計測結果をそのディスプレイに表示させるコンピュータプログラムであって、前記コンピュータに、計測された血糖値データに対してユーザの血糖値計測時の体の状態に関する状態フラグを関連付けて、前記記録部に記録する状態フラグ設定ステップと、前記状態フラグ設定ステップにおいて設定された状態フラグに基づいて、前記記録部に記録されている計測結果を前記ディスプレイに表示する表示制御ステップと、を実行せしめるプログラムである。本発明に係る表示制御プログラムにおいても、上記血糖値計測装置の場合と同様に、測定結果にユーザの体の状態を反映させて、ディスプレイに表示させることが可能となるため、ユーザによる血糖値管理の利便性を向上させることが可能となる。【００２５】
また、上記血糖値計測結果の表示制御プログラムにおいて、前記表示制御ステップで、前記記録部に記録されている計測データに基づいて、ユーザの血糖値の推移を前記ディスプレイにグラフ表示させてもよい。さらに、前記表示制御ステップでは、前記グラフが表わす複数の血糖値データに関連付けられたそれぞれの前記状態フラグに対応する所定のマークが、該グラフに隣接させて表示されてもよい。【００２６】
また、前記表示制御ステップでは、前記記録装置内に記録されている計測データに基づく演算値が前記ディスプレイに表示されてもよい。さらに、前記表示制御ステップでは、前記記録部に記録されている計測データの中から、前記状態フラグ設定部によって設定された状態フラグが同一の計測データ群が抽出され、該抽出された計測データ群に関する前記演算値が前記ディスプレイに表示されてもよい。なお、この演算値の一例として、ユーザの血糖値の所定期間における平均値が挙げられる。【００２７】
このように構成される血糖値計測結果の表示制御プログラムにおいても、上記血糖値計測装置の場合と同様に、測定結果にユーザの体の状態を反映させて、ディスプレイに表示させることが可能となるため、ユーザによる血糖値管理の利便性を向上させることが可能となる。なお、上記血糖値計測装置について開示した技術的思想は、同様に本発明に係る表示制御プログラムにも適用可能である。【００２８】
更に、上記表示制御プログラムを記録する、コンピュータに読み取り可能な記録媒体も、本発明の範疇に含まれる。
【発明の効果】
【００２９】
血糖値計測時のユーザの体の状態を反映させた計測結果の表示を可能とし、ユーザの血糖値管理の利便性を向上させることが可能となる。
【図面の簡単な説明】
【００３０】
【図１Ａ】本発明に係る血糖値計測装置の外観構成を示す第一の図である。
【図１Ｂ】本発明に係る血糖値計測装置の外観構成を示す第二の図である。
【図２】図１に示す血糖値計測装置に形成される各機能部による機能ブロック図である。
【図３】図１に示す血糖値計測装置において実行される、血糖値計測処理のフローチャートである。
【図４】図１に示す血糖値計測装置の液晶画面の表示例を示す図である。
【図５】図１に示す血糖値計測装置において実行される、計測結果管理処理のフローチャートである。
【図６】図１に示す血糖値計測装置において実行される、グラフ表示処理のフローチャートである。
【図７Ａ】図６に示すグラフ表示処理で、血糖値計測装置の液晶画面に表示されるグラフを示す第一の図である。
【図７Ｂ】図６に示すグラフ表示処理で、血糖値計測装置の液晶画面に表示されるグラフを示す第二の図である。
【図８】図１に示す血糖値計測装置において実行される、計測履歴表示処理のフローチャートである。
【図９】図８に示す計測履歴表示処理で、血糖値計測装置の液晶画面に表示される表示例の第一の図である。
【図１０】図８に示す計測履歴表示処理で、血糖値計測装置の液晶画面に表示される表示例の第二の図である。
【図１１】図８に示す計測履歴表示処理で、血糖値計測装置の液晶画面に表示される表示例の第三の図である。
【図１２】図１に示す血糖値計測装置において実行される、計測結果管理処理のフローチャートである。
【図１３】図１に示す血糖値計測装置において実行される、計測結果管理処理のフローチャートである。
【図１４】図１に示す血糖値計測装置において実行される、計測結果管理処理のフローチャートである。
【図１５】図１に示す血糖値計測装置の液晶画面の表示例を示す図である。
【図１６】図１に示す血糖値計測装置の液晶画面の表示例を示す図である。
【図１７】図１に示す血糖値計測装置の液晶画面の表示例を示す図である。
【図１８】図１に示す血糖値計測装置の液晶画面の表示例を示す図である。
【図１９】図１に示す血糖値計測装置の液晶画面の表示例を示す図である。
【図２０】本発明に係る情報処理システムのシステム構成図である。
【図２１】図１に示す血糖値計測装置において実行される、管理情報一致処理のフローチャートである。
【発明を実施するための形態】
【００３１】
以下に、図面を参照して本発明を実施するための形態に係る血糖値計測装置について説明する。なお、以下の実施の形態の構成は例示であり、本発明はこの実施の形態の構成に限定されるものではない。
【実施例１】
【００３２】
＜血糖値計測装置の概略＞
図１は、本発明に係る血糖値計測装置１の外観を示す図である。血糖値計測装置１は、糖尿病ユーザが自己でその血糖を測定できるように構成された携帯型の測定装置である。図に示すように、血糖値計測装置１はユーザの掌程度の大きさの細長の筐体２を有することで、ユーザの操作性の向上を図るとともに、後述するように計測結果の適切且つ迅速な管理、表示を可能とすることで、ユーザの血糖管理に資する構成となっている。【００３３】
具体的には、図１Ａに血糖測定装置１の表側の構成を示し、図１Ｂにその裏側の構成を示す。筐体２の表側のパネル３上には、計測結果等を表示するための液晶画面４が設けられており、そこでの表示処理については後述する。また、筐体２の端部には、血糖測定装置１で使用される計測用の試験片（図示せず）を差し込む試験片挿入溝１０が設けられている。この試験片には、ユーザから採取された血液中のグルコースと反応し、電気的信号を出力するセンサーが設けられており、ユーザが血糖値計測の際にこのセンサーに自己の血液を点着させて、血糖値計測装置１による計測を行うこととなる。当該センサーとしては、たとえば、酸化還元酵素としてグルコースオキシターゼ（ＧＯＤ）を用い、過酸化水素電極を信号出力用の電極としたセンサーが採用できる。なお、試験片そのものの構成については、従来技術によるものであって本発明の核心ではないため、本明細書でのその詳細な説明は省略する。【００３４】
また、図１Ｂに示すように、筐体２の裏側のパネル３の側方に、血糖値計測装置１を操作するための操作ボタン７と、血糖値計測装置１と外部の装置、たとえば外部に配置されたコンピュータ等とを通信可能に接続する通信ポート８が設けられている。操作ボタン７は、ユーザによる押下操作、スライド操作、押下状態保持操作等の様々な操作の組み合わせにより、血糖値計測装置１で行われる全ての処理のための操作を可能とする。【００３５】
さらに、血糖値計測装置１の内部は、そこで行われる様々な処理を制御するための制御部が設けられている。血糖値計測装置１における主な制御部としては、図２においてイメージ化されているように、計測制御部２０、管理制御部３０、表示制御部４０、外部通信部５０が設けられており、これらの各制御部は、血糖値計測装置１内で形成され不図示のＣＰＵ、メモリ、ハードディスク等を含むコンピュータ上で実行されるコンピュータプログラムにより実現されるものである。また、上述した液晶画面４、操作ボタン７、通信ポート８も、図２に示す各制御部に適宜接続されており、これによりユーザへの計測結果の表示、ユーザからの操作指示の計測装置への伝達、血糖測定装置１内で蓄積されたデータの外部への通信等に関するプログラム処理が実行される。以下、本発明に係る血糖値計測装置１の制御部の詳細な構成を説明する。【００３６】
上述したように、血糖値計測装置１の制御部は、主に血糖値の計測に関する計測制御を行う計測制御部２０、計測結果やフラグ等の血糖値計測装置１が管理する情報に関する管理制御を行う管理制御部３０、計測結果の表示制御を行う表示制御部４０、計測装置外との通信制御を行う外部通信部５０で形成されているが、これ以外の制御部を含む構成となっていてもかまわない。詳細には、計測制御部２０は、試験片確認部２１、血糖値計測部２２、計測結果記録部２３、低血糖アラーム部２４を有している。試験片確認部２１は、上述した血糖値計測のための試験片が血糖値計測装置１側にセットされて計測可能な状態になっているかについて確認を行う機能部であり、血糖値計測部２２は、確認された試験片からの出力信号に基づいてユーザの血糖値を計測する機能部である。また、計測結果記録部２３は、血糖値計測部２２によって計測された結果を、血糖値計測装置１内の記録装置（メモリ）にデータ保存、記録するための機能部である。さらに、低血糖アラーム部２４は、計測された結果が、適正血糖値に関する基準範囲よりも低い場合にはユーザに対して低血糖であることをアラーム報知する機能部である。【００３７】
また、管理制御部３０は、状態フラグ設定部３１、経過時間設定部３２、パラメータ設定部３３を有している。状態フラグ設定部３１は、ユーザの血糖値に影響を及ぼす血糖値測定の際の体の状態に関するフラグを設定する機能であり、詳細は後述するが、本実施例では、運動後、食前、食後に関する状態フラグの設定を行う。本実施例では、経過時間設定部３２は、状態フラグ設定部３１で食後の状態フラグが設定されたときの、食事開始時点からの経過時間を設定する機能部であり、その詳細については後述する。なお、この経過時間の起点は、食事中の所定の時点や食事が完了した時点であってもよい。また、パラメータ設定部３３は、血糖値計測装置１で使用される様々な制御用のパラメータを設定する機能部である。当該パラメータとしては、血糖値計測装置１内で用いられる日時や後述する試験片の容器開封日等がある。このような管理制御部３０が有する機能部によって、ユーザは自己の血糖値に関する計測結果の管理を効率的に行うことが可能となる。【００３８】
また、表示制御部４０は、計測グラフ表示部４１、計測平均値表示部４２、計測履歴表示部４３を有している。計測グラフ表示部４１は、計測制御部２０によって計測された結果をグラフ表示するための機能部である。また、計測平均値表示部４２は、計測結果のうち所定の期間内の計測値の平均値を表示する機能部である。また、計測履歴表示部４３は、計測され血糖値計測装置１の記録装置内に記録されているデータにアクセスし、その計測履歴を順次、場合によってはその詳細なデータまで表示する機能部である。このような表示制御部４０が有する機能部による表示は、血糖値計測装置１の液晶画面４において行われ、ユーザはその画面表示を通して自己の血糖値の推移等を確認することが可能となる。【００３９】
また、外部通信部５０は、特に計測制御部２０によって計測された結果や、管理制御部３０によって管理された状態フラグ等の情報を、血糖値計測装置１外に送信する制御部である。本発明に係る血糖値計測装置１においては、外部通信部５０による通信制御は核心ではないため、本明細書では外部通信部５０によって外部通信機能が発揮されることを記載するに留め、その詳細については割愛する。【００４０】
上述した計測制御部２０、管理制御部３０、表示制御部４０のそれぞれによって、もしくは各制御部が連携して、血糖値計測装置１では、ユーザの血糖値計測に関する様々な処理が実現されている。そこで、以降、当該処理の詳細な内容について説明する。まず、計測制御部２０によって実行される血糖値計測処理について、図３に基づいて説明する。まず、Ｓ１０１では、血糖値測定に用いられる試験片が、血糖値計測装置１の試験片挿入溝１０への挿入が確認される。具体的には、試験片の挿入の有無に応じて、試験片挿入溝１０における抵抗値等の変化に基づいて判断が、試験片確認部２１によって行われる。Ｓ１０１で試験片の挿入が確認されるとＳ１０２以降の処理が行われる。【００４１】
Ｓ１０２では、同様に試験片確認部２１によって、Ｓ１０１で挿入が確認された試験片が有効期限内のものか否かが判定される。試験片は、上記の通り酸化還元酵素としてＧＯＤを使用するため、試験片が保存されている容器が開封されてから一定期間を過ぎると、血液中のグルコースとの反応性が低下し、適切な血糖値計測が困難となることから、開封後一定期間内に試験片は計測に供されるのが好ましい。そこで、たとえば、複数の試験片が封入されているボトルを開封したときに、ユーザが操作ボタン７を操作しその開封日時を血糖値計測装置１に入力し、管理制御部３０のパラメータ設定部３３が、例えば、当該入力開封日から６ケ月後の日時を試験片の有効期限に設定する。したがって、計測時の日時が、この設定された有効期限を過ぎているか否かに基づいてＳ１０２の判定が行われることになる。Ｓ１０２で肯定判定されるとＳ１０３へ進み計測の準備が行われる。一方で、Ｓ１０２で否定判定されると、試験片自体が血糖値計測に適していないことをユーザに喚起するか、または本血糖値計測処理を終了する。【００４２】
Ｓ１０３では、血糖値計測部２２によって、試験片への血液の点着が確認される。具体的には、ユーザが自己の血液を試験片上に点着することで発生する、試験片内でのセンサからの出力電流に基づいて、上記点着の確認が行われる。血糖値計測部２２は、この血液の点着が確認されることで、血糖値計測のための所定の処理を行い、最終的に血糖値Ｖｇｌを計測し、その計測値が液晶画面４上に表示される（Ｓ１０４の処理）。なお、試験片への血液点着による血糖値の計測技術は従来技術であるから、本明細書ではその詳細な説明を割愛する。【００４３】
ここで、液晶画面４上の表示の一例を図４に示す。図４に示された表示画面例では、説明のためにアイコンや数値を一同にまとめて表示している。液晶画面４の左側には、矩形状の表示領域であって、後述するグラフを表示するグラフ表示領域ＤＲ１が形成され、その中央部には計測された血糖値等を表示する計測数値表示領域ＤＲ２が形成され、この計測数値表示領域ＤＲ２の周囲に、様々な意味を持つアイコンおよび所定の経過時間を表示するアイコン表示領域ＤＲ３が形成されている。このアイコン表示領域ＤＲ３に表示されるアイコンには、後述するＳ１０６で表示される低血糖アラーム用のアイコン「ＨＹＰＯ」、図４に示す状態フラグとしての運動後フラグ用アイコンＩｃ１、食前フラグ用アイコンＩｃ２、食後フラグ用の第一アイコンＩｃ３、第二アイコンＩｃ４が含まれる。さらに、アイコン表示領域ＤＲ３において、食後フラグ用の第一および第二アイコンに隣接して、食後経過時間Ｅｔが表示される。これらの状態フラグ用のアイコンおよび食後経過時間Ｅｔについては、後述する。なお、グラフ表示領域ＤＲ１は、ドット表示器で構成されており、適宜、自由な形状を表示可能に構成されている。グラフ表示領域ＤＲ３は、予め決定されたアイコン形状を、状態フラグ設定部３１による点灯指示により表示可能に構成されている。また、血糖値計測装置１は、グラフ表示領域ＤＲ１における表示物（グラフやフラグなど）に関する情報を記憶するメモリを有し、状態フラグ設定部３１が適宜、前記メモリに記憶されたフラグの中から所定のフラグに関する情報を読み出し、対応する計測データと関連付け、グラフ表示領域ＤＲ１に表示することができる。【００４４】
次に、Ｓ１０５では、Ｓ１０４で計測された血糖値Ｖｇｌが、基準血糖値Ｖ０より低いか否かが判定される。この基準血糖値Ｖ０は、低血糖を判定するための閾値であり、予め血糖値計測装置１側において設定されている値である。そこで、Ｓ１０５で肯定判定されるとＳ１０６へ進み、そこで低血糖アラーム部２４によって、ユーザに低血糖であることのアラームが報知される。具体的には、液晶画面４に計測された血糖値とともに「ＨＹＰＯ」の文字を点灯することで、低血糖アラームの報知を行う。また、Ｓ１０５で否定判定されると、もしくは上記Ｓ１０６の処理が終了すると、Ｓ１０７へ進む。Ｓ１０７では、計測結果記録部２３によって、計測された血糖値の値が、計測結果として血糖値計測装置１内の記録装置に記録される。本血糖値計測処理によって計測された結果は、後述の計測結果管理処理、グラフ表示処理、計測履歴表示処理に供されることになる。【００４５】
次に、管理制御部３０の状態フラグ設定部３１によって実行される計測結果管理処理について、図５に基づいて説明する。当該計測結果管理処理は、血糖値計測処理によって得られた計測結果の管理を行うための制御である。まず、Ｓ２０１では、上記血糖値計測処理が行われた直後に液晶画面４上に計測結果である計測値が、計測数値表示領域ＤＲ２に表示される。なお、このとき、アイコン表示領域ＤＲ３においては、上述の運動後フラグ用アイコン等の状態フラグ用アイコンは表示されていないものとする。Ｓ２０１の処理が終了すると、Ｓ２０２へ進む。【００４６】
Ｓ２０２では、計測値が表示された状態で、ユーザが操作ボタン７を操作して、表示されている計測が行われ際の、ユーザの体の状態に対応した状態フラグの選択が行われる。具体的には、ユーザは、状態フラグとして、運動後フラグ、食前フラグ、食後フラグ、状態フラグ無しの４つから選択を行い、その選択に応じた状態フラグが、表示されている計測値と関連付けられて血糖値計測装置１内に記録されることになる。これらの状態フラグは、ユーザの血糖値に強い関連性を有する体の状態に関するフラグである。したがって、このように計測された血糖値に状態フラグを関連付けることは、血糖値管理上極めて有用である。なお、これらの状態フラグは、図４に示した、運動後フラグ用アイコンＩｃ１、食前フラグ用アイコンＩｃ２、食後フラグ用の第一および第二アイコンＩｃ３、Ｉｃ４、アイコンの非表示にそれぞれ対応し、液晶画面４においてアイコン表示されることになる。食前フラグ用アイコンＩｃ２は、全体が保たれた細長いパンを模した形状のアイコンであり、食後フラグ用の第一アイコンＩｃ３は、そのパンの一部が食べられ短くなっているパンを模した形状のアイコンである。このようにアイコンの形状に相関性を持たせることで、ユーザが一見して食前フラグ用のアイコンであるか、食後フラグ用のアイコンであるかが分かる。なお、食前、食後の状態を表すアイコンの形状は、このようなパンでなくてもよく、その他様々な形態が採用できる。Ｓ２０２の処理が終了すると、Ｓ２０３へ進む。【００４７】
Ｓ２０３では、Ｓ２０２で選択された状態フラグは、食後フラグであるか否かが判定される。ここで肯定判定されるとＳ２０４へ進み、否定判定されるとＳ２０８へ進む。【００４８】
Ｓ２０４では、食後フラグに対応した食事量の決定が行われる。この処理により、血糖値計測装置１で設定される食後フラグに対しては、ユーザが計測時においてどの程度の量の食事を摂っていたかに関する付随データを関連付けることができる。具体的には、ユーザの主観において、満腹量の食事を摂ったときを１００％としたとき、５０％、８０％、１００％の三種類から食事量として選択的に設定することができる。なお、本実施例に係る血糖値計測装置１では、この食後フラグの選択は、図４のアイコン表示領域ＤＲ３において食後フラグ用の第一アイコンＩｃ３の表示で表され、食事量に関する表示は、食後フラグ用の第二アイコンＩｃ４の表示とともに、当該アイコン内に表示されるバー（棒）の数を変更して行われる。たとえば、食事量が１００％の場合はバーの数は三本であり（図４に示す状態）、８０％、５０％の場合はそれぞれバーの数は、二本、一本とされる。このように食事量に関するデータを食後フラグと関連付けることで、ユーザは、どのような量の食事を摂ったときの血糖値が計測されたのかを知ることができ、食事量と血糖値の関連を理解するとともに食事量の調整等、血糖値に関する健康管理を行いやすくなる。なお、この食事量に関する表示に関連する第二アイコンＩｃ４は、ヒトの胃袋を模した形状を有するものである。そしてその胃袋内に上記一本〜三本のバーが表示されることで、ユーザがアイコン表示を一見するだけで、「食事量」を容易に想起することが可能となる。また、第二アイコンＩｃ４の形状は、このようなヒトの胃袋を模したものには限られない。【００４９】
Ｓ２０５では、血糖値計測装置１において経過時間カウンターが設定されているか否かが判定される。経過時間カウンターは、計測に先んじて血糖値計測装置１の経過時間設定部３２によって設定される機能であり、食事を開始した時点からの経過時間を自動的にカウントし、その経過時間を計測結果の血糖値と関連付けるための機能である。なお、この経過時間は、図４のアイコン表示領域ＤＲ３において食後経過時間Ｅｔとして表示される。これにより、ユーザは、上記食事量に加えて、食事開始からどの程度の時間が経過したときの計測血糖値であるかを認識することができるため、さらに血糖値に関する健康管理を行いやすくなる。Ｓ２０５で肯定判定されるとＳ２０６へ進み、否定判定されるとＳ２０７へ進む。【００５０】
Ｓ２０６では、食後フラグと食後経過時間Ｅｔを液晶画面４に同時表示するように設定が行われる。この食後フラグの表示については、上記の通り、食後フラグ用の第一アイコンＩｃ３と第二アイコンＩｃ４が表示状態となるとともに、第二アイコンＩｃ４については、食事量に応じたバーの数に設定される。一方で、Ｓ２０７では、食後経過時間Ｅｔは表示せず、食後フラグのみが表示されるように設定が行われる。【００５１】
また、Ｓ２０３において否定判定されＳ２０８へ進んだとき、当該Ｓ２０８では、Ｓ２０２で選択された状態フラグのうち、食前フラグ、運動後フラグ、もしくはフラグの非選択のいずれかに応じた各アイコンの表示が行われるように、液晶画面４が設定される。具体的には、食前フラグ、運動後フラグが選択されると、アイコン表示領域ＤＲ３において、食前フラグ用アイコンＩｃ２、運動後フラグ用アイコンＩｃ１がそれぞれ表示されることとなる。フラグが非選択状態であれば、アイコン表示領域ＤＲ３において、状態フラグに対応したアイコンの表示は行われない。【００５２】
上述したように、本計測結果管理処理によれば、計測された血糖値と、ユーザの計測時の体の状態に関する状態フラグとを関連付けて、血糖値計測装置１内でデータ保持させることができるため、ユーザの血糖値に関する健康管理を行いやすくなる。特に、後述するグラフ表示処理および計測履歴表示処理においても、計測血糖値に関連付けられた状態フラグを利用することで、血糖値計測装置１を用いた健康管理に有用なデータ表示が可能となる。【００５３】
次に、表示制御部３０の計測グラフ表示部４１によって実行されるグラフ表示処理について、図６に基づいて説明する。当該グラフ表示処理は、血糖値計測処理によって得られた計測結果の表示を行うための制御である。まず、Ｓ３０１では、血糖値計測処理による血糖値の計測が完了したか否かが判定される。当該判定が肯定判定であるときはＳ３０２へ進み、否定判定であるときは再度Ｓ３０１の処理が行われる。Ｓ３０２では、完了した血糖値計測処理で得られた最新のデータとは別に、既に取得され、血糖値計測装置１の記録装置内に記録されていた直近の５回分の計測データが抽出される。Ｓ３０２の処理が終了すると、Ｓ３０３へ進む。【００５４】
Ｓ３０３では、血糖値計測処理で取得された最新のデータと、Ｓ３０２で抽出された直近５回分のデータに基づいて、それぞれの計測血糖値を棒グラフで液晶画面４に表示すべく、その棒グラフの作成が行われる。ここで、血糖値計測装置は携帯型の装置であるため、液晶画面４の大きさは比較的小さい。そのため、棒グラフの大きさは、計測血糖値の大きさそのものに比例させて作成するのではなく、予め設定された上限値と下限値の間で棒グラフを表示するようにする。これにより、計測ごとの血糖値の変化を、比較的小さい液晶画面４であってもユーザが認識しやすいようになる。なお、Ｓ３０３で作成される棒グラフは、図４に示したグラフ表示領域ＤＲ１に表示されるものであって、その表示例を図７Ａに示す。図７Ａ中、上側に示される数値は上記上限値であり、下側に示される数値は上記下限値である。Ｓ３０３の処理が終了すると、Ｓ３０４へ進む。【００５５】
Ｓ３０４では、Ｓ３０２で抽出された直近の５回分のデータに状態フラグが付随している場合、その状態フラグの種類に対応したマーク（記号）を各データの棒グラフの下に表示させるべく、当該マークの決定が行われる。本実施例の血糖値計測装置１では、状態フラグとして運動後フラグ、食前フラグ、食後フラグが選択されているときは、アスタリスク（＊）のマーク、マイナス（−）のマーク、プラス（＋）のマークがそれぞれ配置されるように選択される。なお、状態フラグが選択されていない場合には、Ｓ３０４では表示マークの選択は行われない。Ｓ３０４の処理が終了すると、Ｓ３０５へ進む。【００５６】
Ｓ３０５では、Ｓ３０３で作成された棒グラフおよびＳ３０４で決定されたマークで構成された画面（たとえば、図７Ａに示す画面）が、グラフ表示領域ＤＲ１に表示されるとともに、計測数値表示領域ＤＲ２には、Ｓ３０１での完了判定の対象とされた最新の血糖値計測の数値が表示される。なお、この状態で、最新の計測結果に対して、図５の計測結果管理処理を施してもよい。【００５７】
また、図７Ｂには、グラフ表示領域ＤＲ１に表示される棒グラフの別の形態を示す。図７Ｂに示す形態では、図７Ａに示すグラフ中の、状態フラグの種類に対応したマーク（記号）の表示が省略されている。このような表示形態であっても、ユーザは血糖値の推移を確認できるため、血糖値管理には有用であることには変わりない。【００５８】
本グラフ表示処理によれば、過去に計測された血糖値のデータを棒グラフで表示し、且つ状態フラグに対応したマークを表示するため、ユーザは血糖値の推移とともに、計測された血糖値の計測時における体の状態を容易に認識することができる。このため、血糖値に関する健康管理が容易に行ない得る。また、図７に示すように状態フラグの情報を、簡単なマークを用いて表現するため、比較的小さい液晶画面４であってもユーザにその情報を確実に伝えることが可能となる。【００５９】
次に、表示制御部４０の計測平均値表示部４２と計測履歴表示部４３によって実行される計測履歴表示処理について、図８に基づいて説明する。当該計測履歴表示処理は、血糖値計測処理によって得られた計測結果の履歴表示を行うための制御である。まず、血糖値計測装置１の電源がＯＮ状態において、Ｓ４０１では、血糖値計測装置１の記録装置に記録されている計測結果の中から任意の計測値が液晶画面４に表示され、その表示例が図９に示される。このＳ４０１の処理は、計測履歴表示部４３によって行なわれる。Ｓ４０１において最初は、最新の計測結果が自動的に表示されるが、ユーザが操作ボタン７をスライド操作することで、記録中の任意の計測結果の表示が可能となる。なお、この表示においては、グラフ表示領域ＤＲ１に、計測結果の識別番号（本実施例では、n:001）とともに、その計測日時（本実施例では、５月１日１０時２３分）が表示される。さらに、計測数値表示領域ＤＲ２には、その計測血糖値が表示され、アイコン表示領域ＤＲ３には、既に状態フラグが設定されている場合には、その状態フラグに対応したアイコン（本実施例では、食後用フラグの第一、第二アイコンＩｃ３、Ｉｃ４）や、上記食後経過時間Ｅｔが表示される。【００６０】
次に、Ｓ４０２以降の処理について説明する。Ｓ４０２以降の処理は、計測平均値表示制御部４３によって行なわれる処理である。Ｓ４０２では、ユーザから平均値表示の要求があったか否かが判定される。具体的には、ユーザの操作ボタン７の操作により、平均値表示の要求の有無を判定する。ここで、肯定判定されるとＳ４０３へ進み、否定判定されるとＳ４０２以降の処理が再び行われる。Ｓ４０３において、平均値表示における状態フラグの選択要求が、ユーザからあったか否かが判定される。具体的には、ユーザの操作ボタン７の操作により、平均値表示における状態フラグの選択要求の有無を判定する。ここで、肯定判定されるとＳ４０５へ進み、否定判定されるとＳ４０４へ進む。【００６１】
Ｓ４０４では、記録装置に記録されている全ての計測血糖値のデータの平均値が表示され、その表示例が図１０に示される。この表示においては、グラフ表示領域ＤＲ１に、平均値算出のための期間（本実施例では、7days。この期間は、本計測履歴表示処理が行われている日時を基準として、過去に遡る期間である。）とともに、その平均値の母数（本実施例では、n:085）が表示される。したがって、計測数値表示領域ＤＲ２には、７日分の計測数８５の血糖値の平均値が表示される。一方で、アイコン表示領域ＤＲ３には、状態フラグに対応したアイコン等は表示されない。【００６２】
次に、Ｓ４０５では、記録装置に記録されている全ての計測血糖値のデータのうち、ユーザに選択要求された状態フラグに対応するデータの抽出、およびその抽出されたデータの平均値の算出および表示が行なわれ、その表示例が図１１に示される。すなわち、Ｓ４０４で表示された平均値は、状態フラグの種類、有無にかかわらず、７日間という期間において計測された全ての計測結果の平均値であるが、Ｓ４０５で表示される平均値は、Ｓ４０４の処理対象となった計測結果の中から、ユーザがさらに状態フラグ毎に平均値を絞り込みたいと考えたときの平均値に相当する。したがって、ユーザは、たとえば、７日間の計測結果の中から、運動後の計測結果、食前の計測結果、食後の計測結果毎に、それぞれの平均値を表示させることができる。【００６３】
なお、本実施例における図１１の表示においては、ユーザが状態フラグとして食後フラグを選択したため、食後フラグ用アイコンのうち第一アイコンＩｃ３が表示されている。なお、食後フラグに対応した平均値の算出においては、食事量による区別は行なわれないため、食後フラグ用アイコンのうち第二アイコンＩｃ４は非表示となる。そして、グラフ表示領域ＤＲ１に、平均値算出のための期間（本実施例では、7days）とともに、食後フラグに関連付けられた計測血糖値の母数（本実施例では、n:025）が表示される。したがって、計測数値表示領域ＤＲ２には、７日分の計測数２５の血糖値の平均値が表示される。【００６４】
Ｓ４０４又はＳ４０５の処理が終了すると、本計測履歴表示処理は終了する。ここで、上記計測履歴表示処理において、Ｓ４０４の処理とＳ４０５の処理との間を自由に切り替える構成としてもよい。すなわち、Ｓ４０４による選択された状態フラグに対応した血糖値の平均値表示と、記録装置内の全血糖値データの平均値表示とを、ユーザの操作により適宜切り替えられることで、血糖値計測装置１の利便性がより向上する。【００６５】
本計測履歴表示処理によれば、ユーザは、血糖値計測装置１内に記録されている計測結果の任意の履歴を、状態グラフとともに確認することができる。また、過去の計測値の平均値を、状態グラフごとに分別して確認することもできるため、血糖値に関する健康管理が容易に行なうことができる。なお、平均値の算出のための期間は、パラメータ設定部３３を介して任意の期間に変更することも可能である。【００６６】
なお、本発明に係る血糖値計測装置１には、ユーザに対して血糖値計測の時刻を通知するアラーム機能が搭載されてもよい。ユーザは予め計測時刻を設定することで、当該アラーム機能により、その時刻が到来した時点で通知音が発せられ、計測忘れを防止することができる。また、血糖値計測装置１における消費電力を抑制する観点から、一定時間、ユーザによる装置操作が行われなかった場合には、装置の電源が自動的にオフ状態となり、もしくは液晶画面４の表示照度を自動的に下げたり（暗くしたり）する消費電力抑制機能が搭載されてもよい。特に、携帯型装置である血糖値計測装置１では、このような消費電力の抑制機能は有用である。
【実施例２】
【００６７】
＜その他の実施例＞
本発明は、上述の通り、その実施形態に血糖値計測処理、計測結果管理処理、グラフ表示処理、計測履歴表示処理を行うコンピュータプログラムを含む。さらには、当該プログラムをコンピュータ読み取り可能な記録媒体に記録させた媒体も、本発明の範疇に属する。当該プログラムが記録された記録媒体については、コンピュータに、この記録媒体のプログラムを読み込ませて実行させることにより、上記の各処理が可能となる。【００６８】
ここで、コンピュータ読み取り可能な記録媒体とは、データやプログラム等の情報を電気的、磁気的、光学的、機械的、または化学的作用によって蓄積し、コンピュータから読み取ることができる記録媒体をいう。このような記録媒体のうちコンピュータから取り外し可能なものとしては、例えばフロッピー（登録商標）ディスク、光磁気ディスク、CD-ROM、CD-R/W、DVD、ブルーレイディスク、DAT、８mmテープ、メモリカード等がある。また、コンピュータに固定された記録媒体としてハードディスクやＲＯＭ（リードオンリーメモリ）等がある。
【実施例３】
【００６９】
次に、実施例３に係る管理制御部３０の状態フラグ設定部３１によって実行される計測結果管理処理について、図１２から図１９に基づいて説明する。実施例３に係る管理制御部３０の状態フラグ設定部３１は、ユーザの血糖値に影響を及ぼす血糖値測定の際の体の状態に関するフラグを設定する機能であり、食前、食後、運動後、インスリン投与後、β細胞、コレステロール、Ｈｂ（ヘモグロビン）Ａ１ｃに関する状態フラグの設定を行う。このようなフラグは、グラフ表示領域ＤＲ３にて所定のアイコン形状が点灯するように液晶画面４に固定的に設定されていてもよいし、グラフ表示領域ＤＲ１にて所定のアイコン形状が表示されるよう、当該アイコン形状に関する情報が前記メモリに記憶されていてもよい。前記メモリへの前記アイコン形状に関する情報の記憶は、製品の製造時に記憶されてもよいし、例えば、製品の製造後、製造時に記憶された情報に対して、適宜、情報の変更（追加、削除等）がされてもよい。前記アイコン形状に関する情報の記憶は、例えば、前記血糖値測定装置１の操作ボタン７や、別途の入力手段を用いて、手動で前記メモリに所定の情報を入力することによりなされてもよいし、外部装置（例えば、外部PCやサーバーなど）から無線ないし有線で前記メモリに所定の情報（例えばプログラム等）を自動的に入力することによりなされてもよい。なお、前記の例に限らず、状態フラグ設定部３１は、生体の状態に関係する現象や事象を表すあらゆるフラグの設定を行ってもよい。本実施例では、例示として、計測結果管理処理が、血糖値計測処理によって得られた計測結果の管理を行うための制御について説明する。まず、Ｓ５０１では、上記血糖値計測処理が行われた直後に液晶画面４上に計測結果である計測値が、計測数値表示領域ＤＲ２に表示される。なお、このとき、アイコン表示領域ＤＲ３においては、上述の運動後フラグ用アイコン等の状態フラグ用アイコンは表示されていないものとする。Ｓ５０１の処理が終了すると、処理がＳ５０２へ進む。【００７０】
Ｓ５０２では、計測値が表示された状態で、ユーザが操作ボタン７を操作して、表示されている計測が行われた際の、ユーザの体の状態に対応した状態フラグの選択が行われる。具体的には、ユーザは、状態フラグとして、食前フラグ、食後フラグ、運動後フラグ、インスリン投与後フラグ、β細胞フラグ、コレステロールフラグ、ＨｂＡ１ｃフラグ、状態フラグなし、のうちの何れか一つ以上を選択する。【００７１】
ユーザは、食後フラグを選択する場合、食事量に関する選択を行うことができる。また、ユーザは、食後フラグを選択する際、食事量を入力してもよい。ユーザは、運動後フラグを選択する場合、運動量に関する選択を行うことができる。ユーザは、運動後フラグを選択する際、運動量を入力してもよい。ユーザは、インスリン投与後フラグを選択する場合、インスリン投与量に関する選択を行うことができる。ユーザは、インスリン投与後フラグを選択する際、インスリン投与量を入力してもよい。ユーザは、β細胞フラグを選択する場合、β細胞の量及びβ細胞の量の変化に関する選択を行うことができる。ユーザは、β細胞フラグを選択する際、β細胞の量及びβ細胞の量の変化を入力してもよい。ユーザは、コレステロールフラグを選択する場合、コレステロールの量及びコレステロールの量の変化に関する選択を行うことができる。ユーザは、コレステロールフラグを選択する際、コレステロールの量及びコレステロールの量の変化を入力してもよい。ユーザは、ＨｂＡ１ｃフラグを選択する場合、ＨｂＡ１ｃ値及びＨｂＡ１ｃ値の変化に関する選択を行うことができる。ユーザは、ＨｂＡ１ｃフラグを選択する際、ＨｂＡ１ｃ値及びＨｂＡ１ｃ値の変化を入力してもよい。【００７２】
ユーザによる操作ボタン７の操作例としては、ユーザが操作ボタン７をスライド操作することにより、液晶画面４に表示される上記各フラグに応じたアイコン及び量を示すマークが順次切り替わり、ユーザが操作ボタン７を押下することによりフラグが選択される。実施例３に係る血糖値計測装置１では、まず、ユーザが操作ボタン７をスライド操作することにより、食前フラグに応じたアイコンが液晶画面４に表示される。食前フラグに応じたアイコンが液晶画面４に表示された状態で、ユーザが操作ボタン７をスライド操作すると、食前フラグに応じたアイコンに切り替わって、食後フラグに応じたアイコンが液晶画面４に表示される。そして、食後フラグに応じたアイコンが液晶画面４に表示された状態で、ユーザが操作ボタン７をスライド操作すると、食後フラグに応じたアイコン及び食事量を示すマークが、液晶画面４に表示される。食事量を示すマークは、バーマークであり、バーマークの本数を増減させることで、食事量の多少が変更される。具体的には、ユーザが操作ボタン７をスライド操作することにより、食後フラグに応じたアイコン及び１本のバーマーク、食後フラグに応じたアイコン及び２本のバーマーク、食後フラグに応じたアイコン及び３本のバーマーク、が順次切り替わって液晶画面４に表示される。ただし、食事量を示すマークは、バーマークに限らず、他のマークであってもよい。【００７３】
そして、食後フラグに応じたアイコン及び食事量を示すマークが液晶画面４に表示された状態で、ユーザが操作ボタン７をスライド操作すると、食後フラグに応じたアイコン及び食事量を示すマークから切り替わって、運動後フラグに応じたアイコンが液晶画面４に表示される。次に、運動後フラグに応じたアイコンが液晶画面４に表示された状態で、ユーザが操作ボタン７をスライド操作すると、運動後フラグに応じたアイコン及び運動量を示すマークが、液晶画面４に表示される。運動後フラグに応じたアイコン及び運動量を示すマークについても、食後フラグに応じたアイコン及び食事量を示すマークと同様に、ユーザが操作ボタン７をスライド操作することにより、運動量の多少が変更される。インスリン投与後フラグに応じたアイコン、インスリン投与量を示すマーク、β細胞フラグに応じたアイコン、β細胞量を示すマーク、コレステロールフラグに応じたアイコン、コレステロール値を示すマーク、ＨｂＡ１ｃフラグに応じたアイコン、ＨｂＡ１ｃ値を示すマークについても、食後フラグに応じたアイコン及び食事量を示すマークと同様である。液晶画面４にアイコンが表示されていない状態で、ユーザが操作ボタン７を押下すると、状態フラグなしが選択される。フラグが選択された後、ユーザが試験片を試験片挿入溝１０から抜き取ることにより、フラグの選択が確定する。【００７４】
状態フラグは、ユーザの血糖値に強い関連性を有する体の状態に関するフラグである。したがって、このように計測された血糖値に状態フラグを関連付けることは、血糖値管理上極めて有用である。なお、運動後フラグ、食前フラグ、食後フラグは、図４に示した、運動後フラグ用アイコンＩｃ１、食前フラグ用アイコンＩｃ２、食後フラグ用の第一および第二アイコンＩｃ３、Ｉｃ４、アイコンの非表示にそれぞれ対応し、液晶画面４においてアイコン表示される。食前フラグ用アイコンＩｃ２は、全体が保たれた細長いパンを模した形状のアイコンであり、食後フラグ用の第一アイコンＩｃ３は、そのパンの一部が食べられ短くなっているパンを模した形状のアイコンである。このようにアイコンの形状に相関性を持たせることで、ユーザが一見して食前フラグ用のアイコンであるか、食後フラグ用のアイコンであるかが分かる。なお、食前、食後の状態を表すアイコンの形状は、このようなパンでなくてもよく、その他様々な形態が採用できる。インスリン投与後フラグ、β細胞フラグ、コレステロールフラグ、ＨｂＡ１ｃフラグに対応したアイコンは、図４に示したグラフ表示領域ＤＲ１に表示され、その詳細については後述する。Ｓ５０２の処理が終了すると、処理がＳ５０３へ進む。【００７５】
Ｓ５０３では、Ｓ５０２で状態フラグなしが選択されたか否かが判定される。ここで肯定判定される場合、処理がＳ５０４へ進み、否定判定される場合、処理がＳ５０５へ進む。【００７６】
Ｓ５０４では、図４に示したグラフ表示領域ＤＲ１及びアイコン表示領域ＤＲ３に状態フラグに対応したアイコンの表示が行われないように、液晶画面４が設定される。Ｓ５０２でフラグが非選択状態であるので、状態フラグに対応したアイコンの表示が行われない。【００７７】
Ｓ５０５では、Ｓ５０２で食前フラグが選択されたか否かが判定される。ここで肯定判定される場合、処理がＳ５０６へ進み、否定判定される場合、処理がＳ５０７へ進む。【００７８】
Ｓ５０６では、Ｓ５０２で選択された食前フラグに対応したアイコンの表示が行われるように、液晶画面４が設定される。具体的には、アイコン表示領域ＤＲ３に食前フラグ用のアイコンＩｃ２が表示されるように設定が行われる。Ｓ５０６が終了すると、処理がＳ５２１（図１４）へ進む。Ｓ５２１以降の処理については後述する。【００７９】
Ｓ５０７では、Ｓ５０２で食後フラグが選択されたか否かが判定される。ここで肯定判定される場合、処理がＳ５０８へ進み、否定判定される場合、処理がＳ５１１Ａへ進む。Ｓ５１１Ａ以降の処理については後述する。【００８０】
Ｓ５０８では、食後フラグに対応した食事量の決定が行われる。Ｓ５０８で行われる処理は、実施例１で説明した計測結果管理処理のＳ２０４で行われる処理と同様であるので、その説明を省略する。Ｓ５０２で摂取エネルギー量が食事量として入力されている場合、摂取エネルギー量が、食後フラグに対応した食事量として決定されてもよい。そして、食事量として決定された摂取エネルギー量は、血糖値計測装置１内の記録装置に記録される。なお、血糖値計測装置１内の記録装置に記録された摂取エネルギー量は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、消費エネルギー量が表示される。Ｓ５０８が終了すると、処理がＳ５０９へ進む。【００８１】
Ｓ５０９では、血糖値計測装置１において経過時間カウンターが設定されているか否かが判定される。Ｓ５０９で行われる処理は、実施例１で説明した計測結果管理処理のＳ２０５で行われる処理と同様であるので、その説明を省略する。Ｓ５０９で肯定判定されるとＳ５１０へ進み、否定判定されるとＳ５１１へ進む。【００８２】
Ｓ５１０では、食後フラグのアイコン及び食後経過時間Ｅｔを液晶画面４に同時表示するように設定が行われる。具体的には、アイコン表示領域ＤＲ３に、食後フラグ用の第一アイコンＩｃ３及び第二アイコンＩｃ４と、食後経過時間Ｅｔとが表示されるように設定が行われる。食事量に応じて、食後フラグ用の第二アイコンＩｃ４内のバーの数が設定される。Ｓ５１０が終了すると、処理がＳ５２１へ進む。一方で、Ｓ５１１では、液晶画面４には、食後経過時間Ｅｔが表示されず、アイコン表示領域ＤＲ３に食後フラグ用の第一アイコンＩｃ３及び第二アイコンＩｃ４が表示されるように設定が行われる。食事量に応じて、食後フラグ用の第二アイコンＩｃ４内のバーの数が設定される。Ｓ５１１が終了すると、処理がＳ５２１へ進む。【００８３】
Ｓ５１１Ａ（図１３）以降の処理について説明する。Ｓ５１１Ａでは、Ｓ５０２で運動後フラグが選択されたか否かが判定される。ここで肯定判定される場合、処理がＳ５１２へ進み、否定判定される場合、処理がＳ５１６へ進む。【００８４】
Ｓ５１２では、運動後フラグに対応した運動量の決定が行われる。この処理により、血糖値計測装置１で設定される運動後フラグに対して、ユーザが計測時においてどの程度の量の運動を行っていたかに関する付随データを関連付けることができる。例えば、６０分以上の運動をしたときを１００％、３０分以上６０分以内の運動をしたときを８０％、３０分以内の運動をしたときを５０％の３種類から運動量として選択的に設定してもよい。運動後フラグの選択は、図１５に示すように、アイコン表示領域ＤＲ３に運動後フラグ用アイコンＩｃ１が表示された状態で行われる。そして、運動量に関する選択は、図１５に示すように、グラフ表示領域ＤＲ１に汗を模したアイコンが表示された状態で行われるとともに、汗を模したアイコンの数を変更して行われる。例えば、運動量が１００％の場合は、汗を模したアイコンの数は三つであり（図１５に示す状態）、８０％、５０％の場合はそれぞれ汗を模したアイコンの数は、２つ、一つとされる。このように運動量に関するデータを運動後フラグと関連付けることで、ユーザは、どのような量の運動を行ったときの血糖値が計測されたのかを知ることができ、運動量と血糖値の関連とを理解することができ、血糖値に関する健康管理を行いやすくなる。グラフ表示領域ＤＲ１に、１つ〜３つの汗を模したアイコンが表示されることで、ユーザがアイコン表示を一見するだけで、「運動量」を容易に想起することが可能となる。運動量を想起するアイコンは、汗を模したアイコンに限られない。【００８５】
また、例えば、１万歩以上を歩いたときを１００％、８千歩以上１万歩以内を歩いたときを８０％、８千歩以内を歩いたときを５０％の３種類から運動量として選択的に設定してもよい。ユーザの歩数をカウントする歩数計を、血糖値計測装置１に組み込むようにしてもよいし、ユーザが歩数計を身に付けるようにしてもよい。汗を模したアイコンは、実施例１で説明した計測履歴表示処理のＳ４０１の処理において、ユーザが操作ボタン７をスライド操作することにより、液晶画面４に表示される。具体的には、アイコン表示領域ＤＲ３に、運動後フラグ用アイコンＩｃ１が表示され、グラフ表示領域ＤＲ１に、計測結果の識別番号及びその計測日時とともに、汗を模したアイコンが表示される。【００８６】
Ｓ５０２でユーザの歩数が運動量として入力されている場合、ユーザの歩数が、運動後フラグに対応した運動量として決定されてもよい。そして、運動量として決定されたユーザの歩数は、血糖値計測装置１内の記録装置に記録される。また、ユーザの歩数を消費エネルギー量に換算することにより、消費エネルギーが、運動後フラグに対応した運動量として決定されてもよい。そして、運動量として決定された消費エネルギー量は、血糖値計測装置１内の記録装置に記録される。歩数計が血糖値計測装置１に組み込まれている場合、Ｓ５０２で運動後フラグが選択された時点で、ユーザの歩数及び消費エネルギー量が血糖値計測装置１内の記録装置に記録されるようにしてもよい。なお、血糖値計測装置１内の記録装置に記録されたユーザの歩数及び消費エネルギー量は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、ユーザの歩数や消費エネルギー量が表示される。Ｓ５１２が終了すると、処理がＳ５１３へ進む。【００８７】
Ｓ５１３では、血糖値計測装置１において経過時間カウンターが設定されているか否かが判定される。経過時間カウンターは、計測に先んじて血糖値計測装置１の経過時間設定部３２によって設定される機能であり、運動を開始した時点からの経過時間を自動的にカウントし、その経過時間を計測結果の血糖値と関連付けるための機能である。なお、この経過時間は、図１５のアイコン表示領域ＤＲ３において運動後経過時間Ｆｔとして表示される。これにより、ユーザは、上記運動量に加えて、運動開始からどの程度の時間が経過したときの計測血糖値であるかを認識することができるため、さらに血糖値に関する健康管理を行いやすくなる。また、グラフ表示領域ＤＲ１に運動後経過時間Ｆｔとして表示されるようにしてもよい。Ｓ５１３で肯定判定されるとＳ５１４へ進み、否定判定されるとＳ５１５へ進む。【００８８】
Ｓ５１４では、運動後フラグのアイコン及び運動後経過時間Ｆｔを液晶画面４に同時表示するように設定が行われる。アイコン表示領域ＤＲ３に運動後フラグ用アイコンＩｃ１及び運動後経過時間Ｆｔが表示され、グラフ表示領域ＤＲ１に汗を模したアイコンが表示されるように設定が行われる。運動量に応じて、汗を模したアイコンの数が設定される。また、グラフ表示領域ＤＲ１に運動後経過時間Ｆｔが表示されるように設定が行われてもよい。Ｓ５１４が終了すると、処理がＳ５２１へ進む。一方で、Ｓ５１５では、液晶画面４には、運動後経過時間Ｆｔが表示されず、アイコン表示領域ＤＲ３に運動後フラグ用アイコンＩｃ１が表示され、グラフ表示領域ＤＲ１に汗を模したアイコンが表示されるように設定が行われる。運動量に応じて、汗を模したアイコンの数が設定される。Ｓ５１５が終了すると、処理がＳ５２１へ進む。【００８９】
次に、Ｓ５１１Ａにおいて否定判定され、処理がＳ５１６へ進んだ場合について説明する。Ｓ５１６では、Ｓ５０２でインスリン投与後フラグが選択されたか否かが判定される。ここで肯定判定される場合、処理がＳ５１７へ進み、否定判定される場合、処理がＳ５２１へ進む。【００９０】
Ｓ５１７では、インスリン投与後フラグに対応したインスリンの投与量の決定が行われる。この処理により、血糖値計測装置１で設定されるインスリン投与後フラグに対して、ユーザが計測時においてどの程度の量のインスリンが投与されていたかに関する付随データを関連付けることができる。例えば、インスリンの投与量が所定量よりも多い場合にはインスリンの投与量が多量、インスリンの投与量が前所定量と同程度の場合にはインスリンの投与量が同量、インスリンの投与量が所定量よりも少ない場合にはインスリンの投与量が少量、の３種類からインスリンの投与量として選択的に設定してもよい。所定量は、ユーザが任意に設定できる値である。【００９１】
インスリン投与後フラグの選択は、図１６に示すように、グラフ表示領域ＤＲ１にインスリン投与後フラグに関するアイコンＩｃ５が表示された状態で行われる。そして、インスリンの投与量に関する選択は、図１６に示すように、グラフ表示領域ＤＲ１にインスリン投与量に関するアイコンＩｃ６が表示された状態で行われるとともに、当該アイコン内に表示されるバー（棒）の数を変更して行われる。例えば、インスリンの投与量が多量の場合はバーの数は三本であり（図１６に示す状態）、同量、少量の場合は、それぞれバーの数は、二本、一本とされる。このように、インスリンの投与量に関するデータを、インスリン投与後フラグと関連付けることで、ユーザは、どの程度の量のインスリンが投与されていたときの血糖値が計測されたのかを知ることができ、インスリンの投与量と血糖値の関連とを理解することができ、血糖値に関する健康管理を行いやすくなる。なお、インスリン投与後フラグに関するアイコンＩｃ５は、注射器を模した形状を有し、インスリン投与量に関するアイコンＩｃ６は、薬ビンを模した形状を有する。そして、薬ビン内に上記一本から三本のバーが表示されることで、ユーザがアイコン表示を一見するだけで、「インスリンの投与量」を容易に想起することが可能となる。また、インスリン投与後フラグに関するアイコンＩｃ５は、注射器を模した形状に限られない。更に、インスリン投与量に関するアイコンＩｃ６は、薬ビンを模した形状に限られない。【００９２】
インスリン投与後フラグに関するアイコンＩｃ５及びインスリン投与量に関するアイコンＩｃ６は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、インスリン投与後フラグに関するアイコンＩｃ５及びインスリン投与量に関するアイコンＩｃ６が表示される。【００９３】
Ｓ５０２でインスリンの投与量（単位）が入力されている場合、インスリンの投与量（単位）は、血糖値計測装置１内の記録装置に記録される。なお、血糖値計測装置１内の記録装置に記録されたインスリンの投与量（単位）は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、インスリンの投与量（単位）が表示される。Ｓ５１７が終了すると、処理がＳ５１８へ進む。【００９４】
Ｓ５１８では、血糖値計測装置１において経過時間カウンターが設定されているか否かが判定される。経過時間カウンターは、計測に先んじて血糖値計測装置１の経過時間設定部３２によって設定される機能であり、インスリンが投与された時点からの経過時間を自動的にカウントし、その経過時間を計測結果の血糖値と関連付けるための機能である。なお、この経過時間は、図１６のアイコン表示領域ＤＲ３においてインスリン投与後経過時間Ｇｔとして表示される。これにより、ユーザは、上記インスリン投与量に加えて、インスリン投与後からどの程度の時間が経過したときの計測血糖値であるかを認識することができるため、さらに血糖値に関する健康管理を行いやすくなる。また、グラフ表示領域ＤＲ１にインスリン投与後経過時間Ｇｔとして表示されるようにしてもよい。Ｓ５１８で肯定判定されるとＳ５１９へ進み、否定判定されるとＳ５２０へ進む。【００９５】
Ｓ５１９では、インスリン投与後フラグのアイコン及びインスリン投与後経過時間Ｇｔを液晶画面４に同時表示するように設定が行われる。アイコン表示領域ＤＲ３にインスリン投与後経過時間Ｇｔが表示され、グラフ表示領域ＤＲ１にインスリン投与後フラグに関するアイコンＩｃ５及びインスリン投与量に関するアイコンＩｃ６が表示されるように設定が行われる。インスリン投与量に応じて、インスリン投与量に関するアイコンＩｃ６内のバーの数が設定される。Ｓ５１９が終了すると、処理がＳ５２１へ進む。一方で、Ｓ５２０では、グラフ表示領域ＤＲ１及びアイコン表示領域ＤＲ３には、インスリン投与後経過時間Ｇｔが表示されず、グラフ表示領域ＤＲ１にインスリン投与後フラグに関するアイコンＩｃ５及びインスリン投与量に関するアイコンＩｃ６が表示されるように設定が行われる。インスリン投与量に応じて、インスリン投与量に関するアイコンＩｃ６内のバーの数が設定される。Ｓ５２０が終了すると、処理がＳ５２１へ進む。【００９６】
Ｓ５２１（図１４）以降の処理について説明する。Ｓ５２１では、Ｓ５０２でβ細胞フラグが選択されたか否かが判定される。ここで肯定判定される場合、処理がＳ５２２へ進み、否定判定される場合、処理がＳ５２４へ進む。【００９７】
Ｓ５２２では、β細胞フラグに対応したβ細胞の量の決定が行われる。この処理により、血糖値計測装置１で設定されるβ細胞フラグに対して、計測時におけるユーザのβ細胞の量に関する付随データを関連付けることができる。例えば、β細胞の量が所定量よりも多い場合にはβ細胞が多量、ユーザのβ細胞の量が所定量と同程度の場合にはβ細胞が同量、ユーザのβ細胞の量が所定量よりも少ない場合にはβ細胞が少量、の３種類からβ細胞の量として選択的に設定してもよい。所定量は、ユーザが任意に設定できる値である。β細胞の量の測定は、周知の技術によって行われてもよい。【００９８】
β細胞フラグの選択及びβ細胞の量に関する選択は、図１７に示すように、グラフ表示領域ＤＲ１にβ細胞フラグに関するアイコンＩｃ７が表示された状態で行われるとともに、当該アイコン内に表示されるバー（棒）の数を変更して行われる。例えば、β細胞の量が多量の場合はバーの数は三本であり（図１７に示す状態）、同量、少量の場合は、それぞれバーの数は、二本、一本とされる。このように、β細胞の量に関するデータを、β細胞フラグと関連付けることで、計測時におけるユーザのβ細胞の量を知ることができ、β細胞の量と血糖値の関連とを理解することができ、血糖値に関する健康管理を行いやすくなる。【００９９】
β細胞フラグに関するアイコンＩｃ７は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、β細胞フラグに関するアイコンＩｃ７が表示される。【０１００】
Ｓ５０２でβ細胞の量が入力されている場合、β細胞の量は、血糖値計測装置１内の記録装置に記録される。なお、血糖値計測装置１内の記録装置に記録されたβ細胞の量は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、β細胞の量が表示される。Ｓ５２２が終了すると、処理がＳ５２３へ進む。【０１０１】
Ｓ５２３では、β細胞フラグに対応したβ細胞の量の変化の決定が行われる。この処理により、血糖値計測装置１で設定されるβ細胞フラグに対して、計測時におけるユーザのβ細胞の量の変化に関する付随データを関連付けることができる。例えば、今回の血糖値測定におけるβ細胞の量が、前回の血糖値測定におけるβ細胞の量よりも多い場合にはβ細胞の量がＵＰ、β細胞の量（今回）が、β細胞の量（前回）と同程度の場合にはβ細胞の量がＳＡＭＥ、β細胞の量（今回）が、β細胞の量（前回）よりも少ない場合にはβ細胞の量がＤＯＷＮ、の３種類からβ細胞の量の変化として選択的に設定してもよい。【０１０２】
β細胞の量の変化に関する選択は、図１７に示すように、グラフ表示領域ＤＲ１にβ細胞フラグに関するアイコンＩｃ７が表示された状態で行われるとともに、グラフ表示領域ＤＲ１に表示される「ＵＰ」の文字（図１７に示す状態）、「ＳＡＭＥ」の文字、「ＤＯＷＮ」の文字を変更して行われる。グラフ表示領域ＤＲ１に表示される「ＵＰ」の文字、「ＳＡＭＥ」の文字、「ＤＯＷＮ」の文字は、β細胞の量の変化を示す情報である。このように、β細胞の量の変化に関するデータを、β細胞フラグと関連付けることで、計測時におけるユーザのβ細胞の量の変化を知ることができ、β細胞の量の変化と血糖値の関連とを理解することができ、血糖値に関する健康管理を行いやすくなる。なお、血糖値計測装置１内の記録装置に、β細胞の量の履歴を記録してもよい。これにより、β細胞フラグ及びβ細胞の量が選択されると、β細胞の量（今回）とβ細胞の量（前回）とが比較され、β細胞の量の変化が決定される。【０１０３】
β細胞フラグに関するアイコンＩｃ７及びβ細胞の量の変化を示す情報は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、β細胞フラグに関するアイコンＩｃ７及びβ細胞の量の変化を示す情報が表示される。【０１０４】
Ｓ５０２でβ細胞の量が入力されている場合、β細胞の量は、血糖値計測装置１内の記録装置に記録される。なお、血糖値計測装置１内の記録装置に記録されたβ細胞の量は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、β細胞の量が表示される。Ｓ５２３が終了すると、処理がＳ５２４へ進む。【０１０５】
Ｓ５２４では、Ｓ５０２でコレステロールフラグが選択されたか否かが判定される。ここで肯定判定される場合、処理がＳ５２５へ進み、否定判定される場合、処理がＳ５２７へ進む。【０１０６】
Ｓ５２５では、コレステロールフラグに対応したコレステロール値の決定が行われる。この処理により、血糖値計測装置１で設定されるコレステロールフラグに対して、計測時におけるユーザのコレステロール値に関する付随データを関連付けることができる。コレステロール値は、総コレステロール（Ｔ−ｃｈｏｌ）値、ＨＤＬコレステロール（ＨＤＬ−ｃｈｏｌ）値、ＬＤＬコレステロール（ＬＤＬ−ｃｈｏｌ）値の何れであってもよい。例えば、ユーザのコレステロール値が所定値よりも高い、ユーザのコレステロール値が所定値と同程度、ユーザのコレステロール値が所定値よりも低い、の３種類からコレステロール値として選択的に設定してもよい。所定値は、ユーザが任意に設定できる値である。コレステロール値の測定は、周知の技術によって行われてもよい。【０１０７】
コレステロールフラグの選択及びコレステロール値に関する選択は、図１８に示すように、グラフ表示領域ＤＲ１にコレステロールフラグに関するアイコンＩｃ８が表示された状態で行われるとともに、当該アイコン内に表示されるバー（棒）の数を変更して行われる。例えば、コレステロール値が高い場合はバーの数は三本であり（図１８に示す状態）、同程度、低い場合は、それぞれバーの数は、二本、一本とされる。このように、コレステロール値に関するデータを、コレステロールフラグと関連付けることで、計測時におけるユーザのコレステロール値を知ることができ、コレステロール値と血糖値の関連とを理解することができ、血糖値に関する健康管理を行いやすくなる。【０１０８】
コレステロールフラグに関するアイコンＩｃ８は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、コレステロールフラグに関するアイコンＩｃ８が表示される。【０１０９】
Ｓ５０２でコレステロール値が入力されている場合、コレステロール値は、血糖値計測装置１内の記録装置に記録される。なお、血糖値計測装置１内の記録装置に記録されたコレステロール値は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、コレステロール値が表示される。Ｓ５２５が終了すると、処理がＳ５２６へ進む。【０１１０】
Ｓ５２６では、コレステロールフラグに対応したコレステロール値の変化の決定が行われる。この処理により、血糖値計測装置１で設定されるコレステロールフラグに対して、計測時におけるユーザのコレステロール値の変化に関する付随データを関連付けることができる。例えば、今回の血糖値測定におけるコレステロール値が、前回の血糖値測定におけるコレステロール値よりも多い場合にはコレステロール値がＵＰ、コレステロール値（今回）が、コレステロール値（前回）と同程度の場合にはコレステロール値がＳＡＭＥ、コレステロール値（今回）が、コレステロール値（前回）よりも少ない場合にはコレステロール値がＤＯＷＮ、の３種類からコレステロール値の変化として選択的に設定してもよい。【０１１１】
コレステロール値の変化に関する選択は、図１８に示すように、グラフ表示領域ＤＲ１にコレステロールフラグに関するアイコンＩｃ８が表示された状態で行われるとともに、グラフ表示領域ＤＲ１に表示される「ＵＰ」の文字（図１８に示す状態）、「ＳＡＭＥ」の文字、「ＤＯＷＮ」の文字を変更して行われる。グラフ表示領域ＤＲ１に表示される「ＵＰ」の文字、「ＳＡＭＥ」の文字、「ＤＯＷＮ」の文字は、コレステロール値の変化を示す情報である。このように、コレステロール値の変化に関するデータを、コレステロールフラグと関連付けることで、計測時におけるユーザのコレステロール値の変化を知ることができ、コレステロール値の変化と血糖値の関連とを理解することができ、血糖値に関する健康管理を行いやすくなる。なお、血糖値計測装置１内の記録装置に、コレステロール値の履歴を記録してもよい。これにより、コレステロールフラグ及びコレステロール値が選択されると、コレステロール値（今回）とコレステロール値（前回）とが比較され、コレステロール値の変化が決定される。【０１１２】
コレステロールフラグに関するアイコンＩｃ８及びコレステロール値の変化を示す情報は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、コレステロールフラグに関するアイコンＩｃ８及びコレステロール値の変化を示す情報が表示される。【０１１３】
Ｓ５０２でコレステロール値が入力されている場合、コレステロール値は、血糖値計測装置１内の記録装置に記録される。なお、血糖値計測装置１内の記録装置に記録されたコレステロール値は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、コレステロール値が表示される。Ｓ５２６が終了すると、処理がＳ５２７へ進む。【０１１４】
Ｓ５２７では、Ｓ５０２でコレステロールフラグが選択されたか否かが判定される。ここで肯定判定される場合、処理がＳ５２８へ進み、否定判定される場合、計測結果管理処理が終了する。【０１１５】
Ｓ５２８では、ＨｂＡ１ｃフラグに対応したＨｂＡ１ｃ値の決定が行われる。この処理により、血糖値計測装置１で設定されるＨｂＡ１ｃフラグに対して、計測時におけるユーザのＨｂＡ１ｃ値に関する付随データを関連付けることができる。例えば、ユーザのＨｂＡ１ｃ値が所定値よりも高い、ユーザのＨｂＡ１ｃ値が所定値と同程度、ユーザのＨｂＡ１ｃ値が所定値よりも低い、の３種類からＨｂＡ１ｃ値として選択的に設定してもよい。所定値は、ユーザが任意に設定できる値である。ＨｂＡ１ｃ値の測定は、周知の技術によって行われてもよい。【０１１６】
ＨｂＡ１ｃフラグの選択及びＨｂＡ１ｃ値に関する選択は、図１９に示すように、グラフ表示領域ＤＲ１にＨｂＡ１ｃフラグに関するアイコンＩｃ９が表示された状態で行われるとともに、当該アイコン内に表示されるバー（棒）の数を変更して行われる。例えば、ＨｂＡ１ｃ値が高い場合はバーの数は三本であり（図１９に示す状態）、同程度、低い場合は、それぞれバーの数は、二本、一本とされる。このように、ＨｂＡ１ｃ値に関するデータを、ＨｂＡ１ｃフラグと関連付けることで、計測時におけるユーザのＨｂＡ１ｃ値を知ることができ、ＨｂＡ１ｃ値と血糖値の関連とを理解することができ、血糖値に関する健康管理を行いやすくなる。【０１１７】
ＨｂＡ１ｃフラグに関するアイコンＩｃ９は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、ＨｂＡ１ｃフラグに関するアイコンＩｃ９が表示される。【０１１８】
Ｓ５０２でＨｂＡ１ｃ値が入力されている場合、ＨｂＡ１ｃ値は、血糖値計測装置１内の記録装置に記録される。なお、血糖値計測装置１内の記録装置に記録されたＨｂＡ１ｃ値は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、ＨｂＡ１ｃ値が表示される。Ｓ５２８が終了すると、処理がＳ５２９へ進む。【０１１９】
Ｓ５２９では、ＨｂＡ１ｃフラグに対応したＨｂＡ１ｃ値の変化の決定が行われる。この処理により、血糖値計測装置１で設定されるＨｂＡ１ｃフラグに対して、計測時におけるユーザのＨｂＡ１ｃ値の変化に関する付随データを関連付けることができる。例えば、今回の血糖値測定におけるＨｂＡ１ｃ値が、前回の血糖値測定におけるＨｂＡ１ｃ値よりも多い場合にはＨｂＡ１ｃ値がＵＰ、ＨｂＡ１ｃ値（今回）が、ＨｂＡ１ｃ値（前回）と同程度の場合にはＨｂＡ１ｃ値がＳＡＭＥ、ＨｂＡ１ｃ値（今回）が、ＨｂＡ１ｃ値（前回）よりも少ない場合にはＨｂＡ１ｃ値がＤＯＷＮ、の３種類からＨｂＡ１ｃ値の変化として選択的に設定してもよい。【０１２０】
ＨｂＡ１ｃ値の変化に関する選択は、図１９に示すように、グラフ表示領域ＤＲ１にＨｂＡ１ｃフラグに関するアイコンＩｃ９が表示された状態で行われるとともに、グラフ表示領域ＤＲ１に表示される「ＵＰ」の文字（図１９に示す状態）、「ＳＡＭＥ」の文字、「ＤＯＷＮ」の文字を変更して行われる。グラフ表示領域ＤＲ１に表示される「ＵＰ」の文字、「ＳＡＭＥ」の文字、「ＤＯＷＮ」の文字は、ＨｂＡ１ｃ値の変化を示す情報である。このように、ＨｂＡ１ｃ値の変化に関するデータを、ＨｂＡ１ｃフラグと関連付けることで、計測時におけるユーザのＨｂＡ１ｃ値の変化を知ることができ、ＨｂＡ１ｃ値の変化と血糖値の関連とを理解することができ、血糖値に関する健康管理を行いやすくなる。なお、血糖値計測装置１内の記録装置に、ＨｂＡ１ｃ値の履歴を記録してもよい。これにより、ＨｂＡ１ｃフラグ及びＨｂＡ１ｃ値が選択されると、ＨｂＡ１ｃ値（今回）とＨｂＡ１ｃ値（前回）とが比較され、ＨｂＡ１ｃ値の変化が決定される。【０１２１】
ＨｂＡ１ｃフラグに関するアイコンＩｃ９及びＨｂＡ１ｃ値の変化を示す情報は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、ＨｂＡ１ｃフラグに関するアイコンＩｃ９及びＨｂＡ１ｃ値の変化を示す情報が表示される。【０１２２】
Ｓ５０２でＨｂＡ１ｃ値が入力されている場合、ＨｂＡ１ｃ値は、血糖値計測装置１内の記録装置に記録される。なお、血糖値計測装置１内の記録装置に記録されたＨｂＡ１ｃ値は、実施例１で説明した計測履歴表示処理のＳ４０１の処理において、ユーザが操作ボタン７をスライド操作することにより、液晶画面４に表示される。具体的には、グラフ表示領域ＤＲ１に、計測結果の識別番号及びその計測日時とともに、ＨｂＡ１ｃ値が表示される。Ｓ５２９が終了すると、計測結果管理処理が終了する。【０１２３】
画面表示部４のグラフ表示領域ＤＲ１は、マトリクス状に配置されたドット表示素子で構成されているため、画面表示部４のグラフ表示領域ＤＲ１に表示されるアイコンやマークは、自由に変更することが可能である。したがって、画面表示部４のグラフ表示領域ＤＲ１に表示されるアイコンやマークは、実施例３で説明したアイコンやマークの形状や模様に限定されず、様々な形状や模様を採用することができる。なお、画面表示部４のグラフ表示領域ＤＲ１には、アイコンやマークに限らず、様々な情報を表示することが可能である。また、実施例３では、画面表示部４のグラフ表示領域ＤＲ１、ＤＲ２及びＤＲ３の全部を、マトリクス状に配置されたドット表示素子で構成してもよい。これにより、画面表示部４のグラフ表示領域ＤＲ１、ＤＲ２及びＤＲ３に表示されるアイコンやマークを、自由に変更することができる。したがって、画面表示部４のグラフ表示領域ＤＲ１、ＤＲ２及びＤＲ３に表示されるアイコンやマークは、実施例３で説明したアイコンやマークの形状や模様に限定されず、様々な形状や模様を採用することができる。また、画面表示部４のグラフ表示領域ＤＲ１には、アイコンやマークに限らず、様々な情報を表示することが可能である。例えば、液晶画面４に表示される情報をアニメーションのように動きを付けて表示してもよい。【０１２４】
＜システム構成＞
図２０は、本情報管理システムのシステム構成図である。この情報管理システムは、血糖値計測装置１と、ネットワーク６０と、ネットワーク６０を介して血糖値計測装置１に接続されるコンピュータ７０Ａ、７０Ｂ、７０Ｃ等から構成される。ネットワーク６０は、例えば、インターネット、イントラネット、電話線、専用線、光通信網、通信衛生等の通信回線である。コンピュータ７０Ａ、７０Ｂ、７０Ｃは、ＣＰＵ、ＲＯＭ、ＲＡＭ、外部記憶装置および通信インターフェース等を有する外部装置である。コンピュータ７０Ａ、７０Ｂ、７０Ｃ等を総称する場合には、コンピュータ７０と表記する。図２０では、３つのコンピュータ７０Ａ、７０Ｂ、７０Ｃが示されているが、コンピュータ７０の数がこれに限定されるものではなく、一つのコンピュータ７０であってもよいし、複数のコンピュータ７０であってもよい。血糖値計測装置１とコンピュータ７０とは、血糖値計測装置１の通信ポート８により、ネットワーク６０を介して相互に接続される。血糖値計測装置１の管理制御部３０は、外部通信部５０を介して、コンピュータ７０に対してアクセスするとともに、コンピュータ７０からのアクセスを受け付ける。具体的には、血糖値計測装置１の管理制御部３０は、外部通信部５０を介して、血糖値計測装置１の記録装置に記録されている情報をコンピュータ７０に送信し、コンピュータ７０によって管理されている情報を受信する。コンピュータ７０は、例えば、病院等の医療機関に設置されるが、これに限らず、いわゆる外部サーバとして、病院等の医療機関の外部に設置されていてもよい。また、コンピュータ７０Ａ、７０Ｂ、７０Ｃのそれぞれを各病院に設置してもよい。さらに、コンピュータ７０を、複数の病院で管理される情報を統合して管理する管理サーバとして用いてもよい。【０１２５】
次に、管理制御部３０によって実行される管理情報一致処理について、図２１に基づいて説明する。当該管理情報一致処理は、血糖値計測装置１にて管理されている情報と、コンピュータ７０によって管理される情報の少なくとも一部とを一致させる処理である。血糖値計測装置１が、コンピュータ７０Ａ、７０Ｂ、７０Ｃから各コンピュータで管理される情報を受信する場合、管理制御部３０は、各コンピュータの何れか一つを選択して、管理情報一致処理を実行してもよい。まず、Ｓ６０１では、管理制御部３０は、外部通信部５０を介して、コンピュータ７０によって管理される項目に関する情報を受信する。すなわち、管理制御部３０は、外部通信部５０を介してコンピュータ７０によって管理されている情報の入力を受け付ける。Ｓ６０１の処理が終了すると、処理がＳ６０２へ進む。【０１２６】
Ｓ６０２では、血糖値計測装置１にて管理されている情報と、コンピュータ７０によって管理される情報とが一致しているかが判定される。血糖値計測装置１にて管理されている情報及びコンピュータ７０によって管理される情報は、例えば、β細胞の量、コレステロール値、ＨｂＡ１ｃ値等の血糖値に関連して管理されるあらゆる生体情報である。血糖値計測装置１にて管理されている情報と、コンピュータ７０によって管理される情報との一致の判定は、一部一致でもよいし、全部一致でもよい。また、血糖値計測装置１にて管理されている情報と、コンピュータ７０によって管理される情報とが完全に一致していなくても、許容範囲内にコンピュータ７０によって管理される情報が収まっている場合は、情報が一致していると判定されてもよい。Ｓ６０２で肯定判定されると、液晶画面４上に血糖値計測装置１で管理されている情報と、コンピュータ７０によって管理される情報とが一致している旨のメッセージが表示され、管理情報一致処理が終了する。一方、Ｓ６０２で否定判定されると、処理がＳ６０３へ進む。【０１２７】
Ｓ６０３では、血糖値計測装置１にて管理されている情報及びコンピュータ７０によって管理される情報に関して、不一致に関する情報が液晶画面４上に表示される。例えば、血糖値計測装置１において、コンピュータ７０によって管理される項目の一部が管理されていないなど、血糖値計測装置１で管理されている情報とコンピュータ７０で管理されている情報に相違がある場合、液晶画面４上に、例えば、血糖値計測装置１の管理項目が不足している（ないし過剰である）旨のメッセージが液晶画面４上に表示される。管理項目は、血糖値計測装置１で管理されている個々の情報であり、例えば、血糖値計測装置１で管理されている血糖値、β細胞の量等のデータ自体やデータの名称を含む。Ｓ６０３の処理が終了すると、処理がＳ６０４へ進む。【０１２８】
Ｓ６０４では、血糖値計測装置１にて管理されている情報とコンピュータ７０によって管理される情報との間で相違する情報について、血糖値計測装置１の管理項目を変更（追加ないし削除）するか否かの判定が行われる。例えば、血糖値計測装置１で管理されている情報と、コンピュータ７０によって管理される情報を列挙し、血糖値計測装置１の管理項目を変更するか否かのメッセージが、液晶画面４に表示される。ユーザは操作ボタン７を操作することにより、管理項目を変更させる処理を確定するか否かの決定を行う。ユーザは、コンピュータ７０によって管理される情報と血糖値計測装置１で管理されている情報との間で相違する複数の管理項目について、変更（追加ないし削除）すべき情報と変更（追加ないし削除）すべきでない情報とを選択することができる。例えば、液晶画面４にコンピュータ７０にて管理されている情報として、血糖値以外にβ細胞の量及びコレステロール値が表示された場合、β細胞の量についてメモリに追加し、コレステロール値についてはメモリに追加しないようにしてもよい。Ｓ６０４で肯定判定されると、処理がＳ６０５へ進む。一方、Ｓ６０４で否定判定されると、管理情報一致処理が終了する。【０１２９】
Ｓ６０５では、Ｓ６０４で決定又は選択された管理項目について、血糖値計測装置１で管理されている情報の変更（追加ないし削除）が行われる。具体的には、Ｓ６０４で決定又は選択された管理項目を血糖値計測装置１のメモリに追加したり、Ｓ６０４で決定又は選択された管理項目を血糖値計測装置１のメモリから削除したりする。この処理により、血糖値計測装置１で管理されている情報と、コンピュータ７０によって管理される情報の少なくとも一部とを一致させることができる。これにより、例えば、病院に設置されているコンピュータ７０で管理されている項目のうち、特にユーザにおいても管理することが望ましい項目を、所望に応じて追加するなど、適宜、血糖値計測装置１の管理項目を変更することができる。なお、血糖値計測装置１のメモリで新たにフラグに関する情報が変更された場合、管理制御部３０により、適宜、メモリから所定の場合に所定のフラグ情報が読み出され、グラフ表示領域ＤＲ１に表示される。【０１３０】
管理制御部３０によって実行される管理情報一致処理は、血糖値計測装置１のメモリに例えばユーザが直接情報を入力することにより、行われてもよい。例えば、ユーザが操作ボタン７や別途設けた操作手段を操作することにより、コンピュータ７０によって管理される情報や血糖値に関連する情報を、血糖値計測装置１に入力するようにしてもよい。上述のように、血糖値計測装置１のメモリで新たにフラグに関する情報が変更された後、管理制御部３０により、適宜、メモリから所定の場合に所定のフラグ情報が読み出され、グラフ表示領域ＤＲ１に表示される。【０１３１】
なお、前記実施例では、自由なアイコン表示が可能なドット表示部は、グラフ表示領域ＤＲ１に限定されているが、表示画面４が全体的にドット表示可能に構成されており、適宜、所望のフラグを表示に可能に構成してもよい。なお、血糖値計測装置１は、上述のごとくフラグを変更可能な構成にする場合、変更（追加・削除）されるフラグに対応する計測データを、記録部に記録できる。【０１３２】
なお、血糖値計測装置１は、前述と同様の仕組みで、別の血糖値計測装置との間で管理情報の少なくとも一部を一致させるように構成できる。
【符号の説明】
【０１３３】
１・・・・血糖値計測装置
２・・・・筐体
４・・・・液晶画面
７・・・・操作ボタン
１０・・・・試験片挿入溝
２０・・・・計測制御部
３０・・・・管理制御部
４０・・・・表示制御部
５０・・・・外部通信部
６０・・・・ネットワーク
７０Ａ、７０Ｂ、７０Ｃ・・・・コンピュータ
【図１Ａ】
2011129418.tif 000003
【図１Ｂ】
2011129418.tif 000004
【図２】
2011129418.tif 000005
【図３】
2011129418.tif 000006
【図４】
2011129418.tif 000007
【図５】
2011129418.tif 000008
【図６】
2011129418.tif 000009
【図７Ａ】
2011129418.tif 000010
【図７Ｂ】
2011129418.tif 000011
【図８】
2011129418.tif 000012
【図９】
2011129418.tif 000013
【図１０】
2011129418.tif 000014
【図１１】
2011129418.tif 000015
【図１２】
2011129418.tif 000016
【図１３】
2011129418.tif 000017
【図１４】
2011129418.tif 000018
【図１５】
2011129418.tif 000019
【図１６】
2011129418.tif 000020
【図１７】
2011129418.tif 000021
【図１８】
2011129418.tif 000022
【図１９】
2011129418.tif 000023
【図２０】
2011129418.tif 000024
【図２１】
2011129418.tif 000025
【国際調査報告】
2011129418.tif 000026
2011129418.tif 000027
2011129418.tif 000028
2011129418.tif 000029